(57)【特許請求の範囲】
【請求項１】
ビームフォーミングイニシエータ局とビームフォーミングレスポンダ局との間で通信されるビームフォーミングフレームを、前記ビームフォーミングイニシエータ局による送信（Ｔｘ）セクタスイープの後に処理する無線通信ユニットであって、前記ビームフォーミングフレームは、前記ビームフォーミングイニシエータ局又は前記ビームフォーミングレスポンダ局の第１の局から、前記ビームフォーミングイニシエータ局又は前記ビームフォーミングレスポンダ局の第２の局に送信され、前記ビームフォーミングフレームは、指向性ビームフォーミング伝送を前記第２の局に送信するために前記第１の局により使用される、前記Ｔｘセクタスイープに基づく選択されたＴｘセクタのインジケーションを含む、無線通信ユニット
を備えた装置であって、
前記ビームフォーミングフレームは、前記第１の局の受信（Ｒｘ）セクタに対応する測定結果のレポートを含み、
前記無線通信ユニットは、複数のＴｘセクタと複数のＲｘセクタとを関連付けるＴｘ−Ｒｘ情報を保持し、前記選択されたＴｘセクタに関連付けられたＲｘセクタを含む前記Ｒｘセクタを選択する、装置。
【請求項２】
前記Ｒｘセクタは、前記Ｔｘセクタのビーム指向性に対応するビーム指向性を有する、請求項１記載の装置。
【請求項３】
前記Ｒｘセクタは、前記Ｔｘセクタと相互的である、請求項２記載の装置。
【請求項４】
前記レポートは、複数のチャネルに対応する複数のチャネル負荷を含む、請求項１乃至３いずれか一項記載の装置。
【請求項５】
前記無線通信ユニットは、前記ビームフォーミングレスポンダ局の機能を実行し、前記無線通信ユニットは、前記ビームフォーミングイニシエータ局から前記選択されたＴｘセクタを受信し、前記選択されたＴｘセクタに基づいて前記Ｒｘセクタを判別し、前記Ｒｘセクタに対応する前記チャネル負荷を判定し、前記レポートを含む前記ビームフォーミングフレームを前記ビームフォーミングイニシエータ局に送信する、請求項４記載の装置。
【請求項６】
前記無線通信ユニットは、前記ビームフォーミングレスポンダ局のアドレスと、前記選択されたＴｘセクタのインジケーションと、を含むユニキャスト受信アドレス（ＲＡ）を伴うディスカバリビーコンを受信し、前記無線通信ユニットは、前記ディスカバリビーコンの受信後の時間期間中に前記チャネル負荷を測定する、請求項５記載の装置。
【請求項７】
前記無線通信ユニットは、前記ビームフォーミングイニシエータ局の機能を実行し、前記無線通信ユニットは、前記ビームフォーミングレスポンダ局から前記ビームフォーミングフレームを受信し、前記複数のチャネル負荷に基づいて、前記指向性ビームフォーミング伝送のために使用されるチャネルを選択する、請求項４記載の装置。
【請求項８】
前記ビームフォーミングフレームは、前記Ｒｘセクタの方向のインジケーションと、Ｔｘセクタ情報要素（ＩＥ）と、を含む指向性測定レポートフレームを含み、前記ＴｘセクタＩＥは、前記Ｔｘセクタの前記インジケーションを含む、請求項１乃至７いずれか一項記載の装置。
【請求項９】
前記ビームフォーミングフレームは、セクタスイープ（ＳＳＷ）フィードバックフィールドを含むＳＳＷフレームを含み、前記ＳＳＷフィードバックフィールドは、前記Ｔｘセクタの前記インジケーションを含む、請求項１記載の装置。
【請求項１０】
前記無線通信ユニットは、前記ビームフォーミングフレームを受信する第３の局の機能を実行し、前記無線通信ユニットは、前記ビームフォーミングフレームに基づいて、前記第３の局により使用される指向性ビームフォーミングスキームを決定する、請求項９記載の装置。
【請求項１１】
前記無線通信ユニットは、前記第１の局の前記Ｔｘセクタを用いる通信チャネルを介する通信のために前記第１の局及び前記第２の局が接続されていることを検出し、前記無線通信ユニットは、前記第１の局の前記Ｔｘセクタに向けられた、前記第３の局のＴｘセクタを用いる前記通信チャネルを介する通信を回避する、請求項１０記載の装置。
【請求項１２】
前記無線通信ユニットは、前記第３の局のＴｘセクタと第１の複数の局のＴｘセクタとを関連付ける第１のＢＦ情報を定め、第２の複数の局と第３の複数の局との間で通信されたＳＳＷフィードバックフレームのＳＳＷフィードバックフィールドに基づいて、前記第２の複数の局のＴｘセクタと前記第３の複数の局のＴｘセクタとを関連付ける第２のＢＦ情報を定める、請求項１１記載の装置。
【請求項１３】
前記無線通信ユニットは、前記第２の複数の局のうち第１の接続されている局と前記第３の複数の局のうち第２の接続されている局との間の接続を検出し、前記第２のＢＦ情報に基づいて、前記第１の接続されている局の接続されているＴｘセクタを判別し、前記第１のＢＦ情報に基づいて、前記接続されているＴｘセクタに関連付けられた、前記第３の局の前記Ｔｘセクタを検出する、請求項１２記載の装置。
【請求項１４】
前記無線通信ユニットは、前記第１の局の機能を実行し、前記無線通信ユニットは、前記指向性ビームフォーミング伝送を前記第２の局に送信するために前記無線通信ユニットにより使用されるＴｘセクタのインジケーションを含む前記ビームフォーミングフレームを送信する、請求項１記載の装置。
【請求項１５】
マシンに、
第１の局から第２の局に、前記第１の局の受信（Ｒｘ）セクタに対応する測定結果のレポートと、指向性ビームフォーミング伝送を前記第２の局に送信するために前記第１の局により使用される送信（Ｔｘ）セクタのインジケーションと、を含むビームフォーミングフレームを送信させる、プログラムであって、
前記マシンに、
前記第１の局の複数のＴｘセクタと前記第１の局の複数のＲｘセクタとを関連付けるＴｘ−Ｒｘ情報を保持させ、
前記Ｔｘセクタに関連付けられたＲｘセクタを含む前記Ｒｘセクタを選択させる、プログラム。
【請求項１６】
前記レポートは、複数のチャネルに対応する複数のチャネル負荷を含む、請求項１５記載のプログラム。
【請求項１７】
請求項１５又は１６記載のプログラムを記憶したマシン読み取り可能な記憶媒体。
【発明の詳細な説明】
【背景技術】
【０００１】
いくつかの無線通信デバイスは、指向性アンテナを使用して、ビームフォーミングリンク（beamformed  link）を介して通信することができる。ビームフォーミングリンクの使用は、共通の無線通信チャネル上で複数のビームフォーミングリンクを確立することを可能にする。
【０００２】
ビームフォーミングリンクの使用は、例えば、低減された数の独立周波数チャネルを含む無線通信周波数帯域上のスペクトル効率の向上を可能にする。一例において、無線ローカルエリアネットワーク（ＷＬＡＮ）通信を利用するために使用される６０ギガヘルツ（ＧＨｚ）周波数帯域のスペクトルは、最大で４つまでの独立チャネルを含む。
【０００３】
しかしながら、制限された数の周波数チャネルは、通信デバイスのグループごとに別々のチャネルを提供することができないことがあり、したがって、各周波数チャネルの効率的な使用が極めて重要である。
【０００４】
いくつかの環境（例えば、エンタープライズ環境）は、高密度のデバイス群により特徴付けられ得る。そのような環境は、例えば、ビームフォーミングリンクが使用されたとしても、同じチャネルを共用するデバイス間の増大された干渉を被ることがある。
【図面の簡単な説明】
【０００５】
例示の簡潔さ及び明瞭さのため、図示される要素は、必ずしも縮尺通りに描かれてはいない。例えば、いくつかの要素の寸法は、提示の明瞭さのために、他の要素と比較して誇張されていることがある。さらに、対応要素又は類似要素を示すために、参照符号が、複数の図の間で繰り返されていることもある。
【図１】いくつかの例示的な実施形態に従ったシステムを示す概略ブロック図。
【図２】いくつかの例示的な実施形態に従った、複数の無線通信デバイス間の指向性ビームフォーミングリンクの概略図。
【図３】いくつかの例示的な実施形態に従ったセクタスイープ（ＳＳＷ）フィードバックフィールドの概略図。
【図４】いくつかの例示的な実施形態に従った送信（Ｔｘ）セクタ情報要素（ＩＥ）の概略図。
【図５】いくつかの例示的な実施形態に従った、第１のデバイスと第２のデバイスとの間の第１の指向性ビームフォーミングリンクと、第１のチャネル上の第２のビームフォーミングリンクと、の間の関係の概略図。
【図６】いくつかの例示的な実施形態に従った、第１の指向性ビームフォーミングリンクと、第２のチャネル上の第３のビームフォーミングリンクと、の間の関係の概略図。
【図７】いくつかの例示的な実施形態に従った、第１の指向性ビームフォーミングリンクと、第３のチャネル上の第４のビームフォーミングリンクと、の間の関係の概略図。
【図８】いくつかの例示的な実施形態に従った、無線通信ビームフォーミングの方法を示す概略フローチャート。
【図９】いくつかの例示的な実施形態に従った、無線通信ビームフォーミングの方法を示す概略フローチャート。
【図１０】いくつかの例示的な実施形態に従った製品の概略図。
【発明を実施するための形態】
【０００６】
以下の詳細な説明において、いくつかの実施形態の完全な理解を提供するために、多数の具体的な詳細が記載されている。しかしながら、いくつかの実施形態は、これら具体的な詳細がなくとも実施できることが当業者には理解されよう。他の例においては、説明を曖昧にしないように、周知の方法、プロシージャ、コンポーネント、ユニット、及び／又は回路は、詳細には記載されていない。
【０００７】
例えば、「処理する」、「計算する」、「算出する」、「判定する」、「確立する」、「解析する（分析する）」、「チェックする（確認する）」等の用語を用いる本明細書における記載は、コンピュータのレジスタ及び／又はメモリ内の（例えば、電子的な）物理量として表されたデータを、コンピュータのレジスタ及び／又はメモリ、若しくは、動作及び／又は処理を実行するための命令を記憶することができる他の情報記憶媒体内の物理量として同様に表される他のデータに操作及び／又は変換する、コンピュータ、コンピューティングプラットフォーム、コンピューティングシステム、又は他の電子コンピューティングデバイスの１以上の動作及び／又は処理を指し得る。
【０００８】
本明細書で使用される用語「複数の」は、例えば、「多数の」又は「２以上の」を含む。例えば、「複数のアイテム」は、２以上のアイテムを含む。
【０００９】
「一実施形態」、「ある実施形態」、「例示的な実施形態」、「様々な実施形態」等といった言及は、そのように記載される１以上の実施形態が、特定の特徴、構造、又は特性を含み得るが、全ての実施形態が、そのような特定の特徴、構造、又は特性を必ずしも含むわけではないことを示す。さらに、語句「一実施形態において」の繰り返しの使用は、同じ実施形態を指していることもあるが、同じ実施形態を必ずしも指しているわけではない。
【００１０】
本明細書で使用されるとき、別途明示されない限り、共通の対象物を説明するための順序を示す形容詞「第１の」、「第２の」、「第３の」等の使用は、言及されている類似の対象物の異なるインスタンスを示すに過ぎず、そのように記載される対象物が、時間的に、空間的に、順位的に、あるいは、任意の他の形で所与の順序でなければならないことを示すよう意図するものではない。
【００１１】
いくつかの実施形態は、様々なデバイス及びシステムとともに使用され得る。そのようなデバイス及びシステムは、例えば、パーソナルコンピュータ（ＰＣ）、デスクトップコンピュータ、モバイルコンピュータ、ラップトップコンピュータ、ノートブックコンピュータ、タブレットコンピュータ、ウルトラブック（登録商標）コンピュータ、サーバコンピュータ、ハンドヘルドコンピュータ、ハンドヘルドデバイス、携帯情報端末（ＰＤＡ）デバイス、ハンドヘルドＰＤＡデバイス、オンボードデバイス、オフボードデバイス、ハイブリッドデバイス、車両用デバイス、非車両用デバイス、モバイルデバイス又はポータブルデバイス、コンシューマデバイス、非モバイルデバイス又は非ポータブルデバイス、無線通信局、無線通信デバイス、無線アクセスポイント（ＡＰ）、有線ルータ又は無線ルータ、有線モデム又は無線モデム、ビデオデバイス、オーディオデバイス、オーディオ／ビデオ（Ａ／Ｖ）デバイス、有線ネットワーク又は無線ネットワーク、無線エリアネットワーク、無線ビデオエリアネットワーク（ＷＶＡＮ）、ローカルエリアネットワーク（ＬＡＮ）、無線ＬＡＮ（ＷＬＡＮ）、パーソナルエリアネットワーク（ＰＡＮ）、無線ＰＡＮ（ＷＰＡＮ）等である。
【００１２】
いくつかの実施形態は、既存のワイヤレスギガビットアライアンス（ＷＧＡ）仕様（Wireless  Gigabit  Alliance,  Inc  WiGig  MAC  and  PHY  Specification  Version  1.1,  April  2011,  Final  specification）及び／又は将来のバージョン及び／又はその派生仕様に従って動作するデバイス及び／又はネットワーク、既存のＩＥＥＥ８０２．１１規格（IEEE  802.11-2012,  IEEE  Standard  for  Information  technology--Telecommunications  and  information  exchange  between  systems  Local  and  metropolitan  area  networks--Specific  requirements  Part  11:  Wireless  LAN  Medium  Access  Control  (MAC)  and  Physical  Layer  (PHY)  Specifications,  March  29,  2012;  IEEE802.11  task  group  ac  (TGac)  (“IEEE802.11-09/0308r12-TGac  Channel  Model  Addendum  Document”);  IEEE  802.11  task  group  ad  (TGad)  (IEEE  P802.11ad-2012,  IEEE  Standard  for  Information  Technology-Telecommunications  and  Information  Exchange  Between  Systems-Local  and  Metropolitan  Area  Networks-Specific  Requirements-Part  11:  Wireless  LAN  Medium  Access  Control  (MAC)  and  Physical  Layer  (PHY)  Specifications-Amendment  3:  Enhancements  for  Very  High  Throughput  in  the  60GHz  Band,  28  December,  2012)）及び／又は将来のバージョン及び／又はその派生規格に従って動作するデバイス及び／又はネットワーク、既存のワイヤレスＨＤ（登録商標）仕様及び／又は将来のバージョン及び／又はその派生仕様に従って動作するデバイス及び／又はネットワーク、上記ネットワークの一部であるユニット及び／又はデバイス等とともに使用され得る。
【００１３】
いくつかの実施形態は、一方向無線通信システム及び／又は双方向無線通信システム、セルラ無線電話通信システム、携帯電話機、セルラ電話機、無線電話機、パーソナル通信システム（ＰＣＳ）デバイス、無線通信デバイスを組み込んでいるＰＤＡデバイス、モバイル全地球測位システム（ＧＰＳ）デバイス又はポータブルＧＰＳデバイス、ＧＰＳ受信機若しくはＧＰＳトランシーバ又はＧＰＳチップを組み込んでいるデバイス、ＲＦＩＤ素子又はＲＦＩＤチップを組み込んでいるデバイス、複数入力複数出力（ＭＩＭＯ）トランシーバ又はＭＩＭＯデバイス、単一入力複数出力（ＳＩＭＯ）トランシーバ又はＳＩＭＯデバイス、複数入力単一出力（ＭＩＳＯ）トランシーバ又はＭＩＳＯデバイス、１以上の内部アンテナ及び／又は外部アンテナを有するデバイス、デジタルビデオ放送（ＤＶＢ）デバイス又はＤＶＢシステム、マルチスタンダード無線デバイス又はマルチスタンダード無線システム、有線ハンドヘルドデバイス又は無線ハンドヘルドデバイス（例えば、スマートフォン）、無線アプリケーションプロトコル（ＷＡＰ）デバイス等とともに使用され得る。
【００１４】
いくつかの実施形態は、１以上のタイプの無線通信信号及び／又は無線通信システムとともに使用され得る。そのような無線通信信号及び／又は無線通信システムは、例えば、無線周波数（ＲＦ）、赤外線（ＩＲ）、周波数分割多重化（ＦＤＭ）、直交ＦＤＭ（ＯＦＤＭ）、時分割多重化（ＴＤＭ）、時分割多元接続（ＴＤＭＡ）、拡張ＴＤＭＡ（Ｅ−ＴＤＭＡ）、汎用パケット無線サービス（ＧＰＲＳ）、拡張ＧＰＲＳ、符号分割多元接続（ＣＤＭＡ）、広帯域ＣＤＭＡ（ＷＣＤＭＡ（登録商標））、ＣＤＭＡ２０００、シングルキャリアＣＤＭＡ、マルチキャリアＣＤＭＡ、マルチキャリア変調（ＭＤＭ）、ディスクリートマルチトーン（ＤＭＴ）、Ｂｌｕｅｔｏｏｔｈ（登録商標）、全地球測位システム（ＧＰＳ）、Ｗｉ−Ｆｉ（登録商標）、Ｗｉ−Ｍａｘ（登録商標）、ＺｉｇＢｅｅ（登録商標）、超広帯域（ＵＷＢ）、ＧＳＭ（登録商標）、２Ｇ、２．５Ｇ、３Ｇ、３．５Ｇ、４Ｇ、第５世代（５Ｇ）モバイルネットワーク、３ＧＰＰ、ロングタームエボリューション（ＬＴＥ）、ＬＴＥアドバンスト、ＥＤＧＥ等である。他の実施形態が、様々な他のデバイス、システム、及び／又はネットワークにおいて使用され得る。
【００１５】
本明細書で使用される用語「無線デバイス」は、例えば、無線通信可能なデバイス、無線通信可能な通信デバイス、無線通信可能な通信局、無線通信可能なポータブルデバイス又は非ポータブルデバイス等を含む。いくつかの例示的な実施形態において、無線デバイスは、コンピュータと一体化される周辺デバイス又はコンピュータに取り付けられる周辺デバイスであってもよいし、そのような周辺デバイスを含んでもよい。いくつかの例示的な実施形態において、用語「無線デバイス」は、任意的に、無線サービスを含み得る。
【００１６】
無線通信信号に関して本明細書で使用される用語「通信する」ことは、無線通信信号を送信すること及び／又は無線通信信号を受信することを含む。例えば、無線通信信号を通信できる無線通信ユニットは、少なくとも１つの他の無線通信ユニットに無線通信信号を送信する無線送信機及び／又は少なくとも１つの他の無線通信ユニットから無線通信信号を受信する無線通信受信機を含み得る。
【００１７】
いくつかの例示的な実施形態は、６０ＧＨｚの周波数帯域上で通信する無線通信ネットワークとともに使用され得る。しかしながら、任意の他の適切な無線通信周波数帯域を利用する他の実施形態が実施されてもよい。そのような無線通信周波数帯域は、例えば、ＥＨＦ（extremely  high  frequency）帯域（ミリメートル波（mmwave）周波数帯域）、例えば、３０ＧＨｚ〜３００ＧＨｚの周波数帯域内の周波数帯域、ＷＬＡＮ周波数帯域、ＷＰＡＮ周波数帯域、ＷＧＡ仕様に従った周波数帯域等である。
【００１８】
本明細書で使用される用語「局（ＳＴＡ；station）」は、無線媒体（ＷＭ；wireless  medium）に対する媒体アクセス制御（ＭＡＣ）及び物理レイヤ（ＰＨＹ）インタフェースの個々にアドレス指定可能なインスタンスである任意の論理エンティティを含み得る。
【００１９】
本明細書で使用される用語「ピアツーピア（ＰＴＰ又はＰ２Ｐ）通信」は、デバイスのペア間における無線リンク（「ピアツーピアリンク」）を介するデバイスツーデバイス通信に関連し得る。Ｐ２Ｐ通信は、例えば、ＱｏＳ基本サービスセット（ＢＳＳ）におけるダイレクトリンクを介する無線通信、トンネリングダイレクトリンク設定（ＴＤＬＳ）リンクを介する無線通信、独立基本サービスセット（ＩＢＳＳ）におけるＳＴＡツーＳＴＡ通信等を含み得る。
【００２０】
本明細書で使用される用語「アンテナ」は、１以上のアンテナ素子、コンポーネント、ユニット、アセンブリ、及び／又はアレイの任意の適切な構成、構造、及び／又は配置を含み得る。いくつかの実施形態において、アンテナは、別々の送信アンテナ素子及び受信アンテナ素子を用いて、送信機能及び受信機能を実装することができる。いくつかの実施形態において、アンテナは、共通の送信／受信素子及び／又は統合された送信／受信素子を用いて、送信機能及び受信機能を実装することができる。アンテナは、例えば、フェーズドアレイアンテナ、単一素子アンテナ、切り替えビームアンテナのセット、及び／又は同様のアンテナを含み得る。
【００２１】
本明細書で使用される用語「指向性マルチギガビット（ＤＭＧ；directional  multi-gigabit）」及び用語「指向性帯域（ＤＢａｎｄ；directional  band）」は、チャネル開始周波数が４０ＧＨｚを超える周波数帯域に関連し得る。
【００２２】
用語「ＤＭＧ  ＳＴＡ」及び用語「ｍｍＷａｖｅ  ＳＴＡ（ｍＳＴＡ）」は、ＤＭＧ帯域内のチャネルで動作する無線送信機を有するＳＴＡに関連し得る。
【００２３】
本明細書で使用される用語「ビームフォーミング」は、目的の受信機における受信信号電力又は信号対雑音比（ＳＮＲ）を向上させるために送信機及び／又は受信機において使用され得る空間フィルタリング機構に関連し得る。
【００２４】
本明細書で使用される用語「アクセスポイント（ＡＰ）」は、１つの局（ＳＴＡ）を含むとともに、関連するＳＴＡのためのＷＭを介して配信サービス（distribution  service）へのアクセスを提供するエンティティを含み得る。
【００２５】
本明細書で使用される用語「非アクセスポイント（非ＡＰ）局（ＳＴＡ）」は、ＡＰ内に含まれないＳＴＡに関連し得る。
【００２６】
本明細書で使用される用語「パーソナル基本サービスセット（ＰＢＳＳ）」は、自立型ネットワーク（self-contained  network）を形成する基本サービスセット（ＢＳＳ）に関連し得る。例えば、ＰＢＳＳは、ＤＢＧ帯域で動作し得、１つのＰＢＳＳコントロールポイント（ＰＣＰ：PBSS  control  point）を含み得る。
【００２７】
本明細書で使用される用語「ＰＢＳＳコントロールポイント（ＰＣＰ）」は、１つの局（ＳＴＡ）を含むとともに、ＰＢＳＳのメンバであるＳＴＡによるＷＭへのアクセスを調整するエンティティを含み得る。
【００２８】
本明細書で使用される用語「非ＰＣＰ局（ＳＴＡ）」は、ＰＣＰでもないＳＴＡに関連し得る。
【００２９】
本明細書で使用される用語「非ＰＣＰ／非ＡＰ局（ＳＴＡ）」は、ＰＣＰでもＡＰでもないＳＴＡに関連し得る。
【００３０】
本明細書で使用される用語「ＰＣＰ／ＡＰ」は、ＰＣＰ又はＡＰであるＳＴＡに関連し得る。
【００３１】
次に図１を参照すると、図１は、いくつかの例示的な実施形態に従ったシステム１００のブロック図を概略的に示している。
【００３２】
図１に示されるように、いくつかの例示的な実施形態において、システム１００は、無線通信ネットワークを含み得、この無線通信ネットワークは、例えば、無線通信デバイス１０２、１６０、及び／又は１３０といった１以上の無線通信デバイスを含む。このような無線通信デバイスは、例えば、無線チャネル、ＩＲチャネル、ＲＦチャネル、ＷｉＦｉ（登録商標）チャネル等といった無線通信媒体（ＷＭ）１０３を介して、コンテンツ、データ、情報、及び／又は信号を通信することができる。システム１００の１以上の要素は、任意的に、任意の適切な有線通信リンクを介して通信できてもよい。
【００３３】
いくつかの例示的な実施形態において、無線通信デバイス１０２、１６０、及び／又は１３０は、例えば、ＰＣ、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、ＰＤＡデバイス、ハンドヘルドＰＤＡデバイス、オンボードデバイス、オフボードデバイス、（例えば、セルラ電話機機能とＰＤＡデバイス機能とを組み合わせている）ハイブリッドデバイス、コンシューマデバイス、車両用デバイス、非車両用デバイス、モバイルデバイス又はポータブルデバイス、非モバイルデバイス又は非ポータブルデバイス、携帯電話機、セルラ電話機、ＰＣＳデバイス、無線通信デバイスを組み込んでいるＰＤＡデバイス、モバイルＧＰＳデバイス又はポータブルＧＰＳデバイス、ＤＶＢデバイス、比較的小型のコンピューティングデバイス、非デスクトップコンピュータ、「ＣＳＬＬ（carry  small  live  large）」デバイス、ウルトラモバイルデバイス（ＵＭＤ）、ウルトラモバイルＰＣ（ＵＭＰＣ）、モバイルインターネットデバイス（ＭＩＤ）、「Ｏｒｉｇａｍｉ」デバイス又は「Ｏｒｉｇａｍｉ」コンピューティングデバイス、ＤＣＣ（Dynamically  Composable  Computing）をサポートするデバイス、コンテキストアウェアデバイス、ビデオデバイス、オーディオデバイス、Ａ／Ｖデバイス、セットトップボックス（ＳＴＢ）、ブルーレイ（登録商標）ディスク（ＢＤ）プレーヤ、ＢＤレコーダ、デジタル多用途ディスク（ＤＶＤ）プレーヤ、高精細度（ＨＤ）ＤＶＤプレーヤ、ＤＶＤレコーダ、ＨＤ  ＤＶＤレコーダ、パーソナルビデオレコーダ（ＰＶＲ）、放送ＨＤ受信機、ビデオソース、オーディオソース、ビデオシンク、オーディオシンク、ステレオチューナ、放送無線受信機、フラットパネルディスプレイ、パーソナルメディアプレーヤ（ＰＭＰ）、デジタルビデオカメラ（ＤＶＣ）、デジタルオーディオプレーヤ、スピーカ、オーディオ受信機、オーディオ増幅器、ゲームデバイス、データソース、データシンク、デジタルスチールカメラ（ＤＳＣ）、メディアプレーヤ、スマートフォン、テレビジョン、音楽プレーヤ等を含み得る。
【００３４】
いくつかの例示的な実施形態において、無線通信デバイス１０２、１６０、及び／又は１３０は、それぞれ、例えば以下で説明するように、無線通信デバイス１０２、１６０、及び／若しくは１３０、並びに／又は１以上の他の無線通信デバイスの間で無線通信を行うための無線通信ユニット１０４、１６２、及び／又は１３２を含み得る。
【００３５】
いくつかの例示的な実施形態において、無線通信デバイス１０２、１６０、及び／又は１３０はまた、例えば、プロセッサ１１４、入力ユニット１０６、出力ユニット１０８、メモリユニット１１０、及び記憶ユニット１１２のうちの１以上を含み得る。無線通信デバイス１０２、１６０、及び／又は１３０は、任意的に、他のハードウェアコンポーネント及び／又はソフトウェアコンポーネントを含んでもよい。いくつかの例示的な実施形態において、無線通信デバイス１０２、１６０、及び／又は１３０のうちの１以上の無線通信デバイスのコンポーネントの一部又は全ては、共通の筐体又はパッケージング内に含まれ得、１以上の有線リンク又は無線リンクを用いて相互接続され得る、あるいは、１以上の有線リンク又は無線リンクを用いて動作可能に関連付けられ得る。他の実施形態においては、無線通信デバイス１０２、１６０、及び／又は１３０のうちの１以上の無線通信デバイスのコンポーネントは、複数のデバイスすなわち別個のデバイス間で分散されてもよい。
【００３６】
プロセッサ１１４は、例えば、中央処理装置（ＣＰＵ）、デジタル信号プロセッサ（ＤＳＰ）、１以上のプロセッサコア、シングルコアプロセッサ、デュアルコアプロセッサ、マルチコアプロセッサ、マイクロプロセッサ、ホストプロセッサ、コントローラ、複数のプロセッサ又はコントローラ、チップ、マイクロチップ、１以上の回路、回路、論理ユニット、集積回路（ＩＣ）、特定用途向けＩＣ（ＡＳＩＣ）、又は、任意の他の適切な多目的プロセッサ、特定プロセッサ、多目的コントローラ、若しくは特定コントローラを含む。プロセッサ１１４は、例えば、無線通信デバイス１０２、１６０、及び／又は１３０のオペレーティングシステム（ＯＳ）の命令、及び／又は、１以上のアプリケーションの命令を実行する。
【００３７】
入力ユニット１０６は、例えば、キーボード、キーパッド、マウス、タッチスクリーン、タッチパッド、トラックボール、スタイラス、マイクロフォン、又は、他の適切なポインティングデバイス若しくは入力デバイスを含む。出力ユニット１０８は、例えば、モニタ、スクリーン、タッチスクリーン、フラットパネルディスプレイ、陰極線管（ＣＲＴ）ディスプレイユニット、液晶ディスプレイ（ＬＣＤ）ディスプレイユニット、プラズマディスプレイユニット、１以上のオーディオスピーカ若しくはイヤフォン、又は他の適切な出力デバイスを含む。
【００３８】
メモリユニット１１０は、例えば、ランダムアクセスメモリ（ＲＡＭ）、読み取り専用メモリ（ＲＯＭ）、ダイナミックＲＡＭ（ＤＲＡＭ）、シンクロナスＤＲＡＭ（ＳＤ−ＲＡＭ）、フラッシュメモリ、揮発性メモリ、不揮発性メモリ、キャッシュメモリ、バッファ、短期メモリユニット、長期メモリユニット、又は他の適切なメモリユニットを含む。記憶ユニット１１２は、例えば、ハードディスクドライブ、フロッピディスクドライブ、コンパクトディスク（ＣＤ）ドライブ、ＣＤ−ＲＯＭドライブ、ＤＶＤドライブ、又は、他の適切な着脱可能な記憶ユニット若しくは着脱不可能な記憶ユニットを含む。メモリユニット１１０及び／又は記憶ユニット１１２は、例えば、無線通信デバイス１０２、１６０、及び／又は１３０により処理されるデータを記憶することができる。
【００３９】
いくつかの例示的な実施形態において、無線通信ユニット１０４、１６２、及び１３２は、それぞれ、１以上のアンテナ１０５、１６４、及び１３３を含み得る、あるいは、１以上のアンテナ１０５、１６４、及び１３３に関連付けられ得る。アンテナ１０５、１６４、及び／又は１３３は、無線通信信号、ブロック、フレーム、伝送ストリーム、パケット、メッセージ、及び／又はデータを送信及び／又は受信するのに適した任意のタイプのアンテナを含み得る。例えば、アンテナ１０５、１６４、及び／又は１３３は、１以上のアンテナ素子、コンポーネント、ユニット、アセンブリ、及び／又はアレイの任意の適切な構成、構造、及び／又は配置を含み得る。アンテナ１０５、１６４、及び／又は１３３は、例えば、例えばビームフォーミング技術を用いる指向性通信に適したアンテナを含み得る。例えば、アンテナ１０５、１６４、及び／又は１３３は、フェーズドアレイアンテナ、単一素子アンテナ、切り替えビームアンテナのセット、及び／又は同様のアンテナを含み得る。いくつかの実施形態において、アンテナ１０５、１６４、及び／又は１３３は、別々の送信アンテナ素子及び受信アンテナ素子を用いて、送信機能及び受信機能を実装することができる。いくつかの実施形態において、アンテナ１０５、１６４、及び／又は１３３は、共通の送信／受信素子及び／又は統合された送信／受信素子を用いて、送信機能及び受信機能を実装することができる。
【００４０】
いくつかの例示的な実施形態において、無線通信ユニット１０４、１６２、及び／又は１３２は、例えば、１以上の無線機１３４を含む。無線機１３４は、例えば、無線通信信号、ＲＦ信号、フレーム、ブロック、伝送ストリーム、パケット、メッセージ、データアイテム、及び／又はデータを送信及び／又は受信することができる１以上の無線送信機、無線受信機、及び／又は無線トランシーバを含む。例えば、無線通信ユニット１０４、１６４、及び／又は１３２は、無線ネットワークインタフェースカード（ＮＩＣ）等を含み得る、あるいは、無線ＮＩＣ等の一部として実装され得る。
【００４１】
いくつかの例示的な実施形態において、無線通信デバイス１０２、１６０、及び１３０は、無線通信リンクを確立することができる。無線通信リンクは、上りリンク及び／又は下りリンクを含み得る。下りリンクは、例えば、ＡＰから１以上の非ＡＰ局（ＳＴＡ）への一方向リンク又は非ＡＰ宛先（destination）ＳＴＡから非ＡＰソースＳＴＡへの一方向リンクを含み得る。上りリンクは、例えば、非ＡＰ  ＳＴＡからＡＰへの一方向リンク又は非ＡＰソースＳＴＡから非ＡＰ宛先ＳＴＡへの一方向リンクを含み得る。
【００４２】
いくつかの例示的な実施形態において、無線通信デバイス１０２、１６０、及び／又は１３０は、ＤＭＧ局（「ＤＭＧ  ＳＴＡ」）の機能を実行することができる。例えば、無線通信デバイス１０２、１６０、及び／又は１３０は、ＤＭＧ帯域上で通信するよう構成することができる。
【００４３】
いくつかの例示的な実施形態において、システム１００は、ＰＣＰ／ＡＰ  ＳＴＡ及び１以上の非ＰＣＰ／ＡＰ  ＳＴＡを含み得る。一例において、デバイス１６０は、ＰＣＰ／ＡＰ  ＳＴＡの機能を実行することができ、且つ／あるいは、デバイス１０２及び／又は１３０は、非ＰＣＰ／ＡＰ  ＳＴＡの機能を実行することができる。別の例において、デバイス１０２は、ＰＣＰ／ＡＰ  ＳＴＡの機能を実行することができ、且つ／あるいは、デバイス１３０及び／又は１６０は、非ＰＣＰ／ＡＰ  ＳＴＡの機能を実行することができる。
【００４４】
他の実施形態においては、デバイス１０２、１６０、及び／又は１３０は、任意の他のデバイス及び／又は局の機能を実行してもよい。
【００４５】
いくつかの例示的な実施形態において、無線通信デバイス１０２、１６０、及び／又は１３０は、１以上のビームフォーミングリンクを介して通信することができる。例えば、無線通信デバイス１０２は、１以上のビームフォーミングリンクを介して、デバイス１６０、デバイス１３０、及び／又は１以上の他の無線通信デバイスと通信することができ、デバイス１３０は、１以上のビームフォーミングリンクを介して、デバイス１６０、デバイス１０２、及び／又は１以上の他の無線通信デバイスと通信することができ、且つ／あるいは、デバイス１６０は、１以上のビームフォーミングリンクを介して、デバイス１０２、デバイス１３０、及び／又は１以上の他の無線通信デバイスと通信することができる。
【００４６】
いくつかの例示的な実施形態において、第１の局及び第２の局（例えば、デバイス１０２、１６０、及び１３０のうちの２つ）は、例えば、第１の局と第２の局との間でビームフォーミングリンクを介して通信するために使用される適切なアンテナ設定を決定するために、ビームフォーミング（ＢＦ）トレーニングを実行することができる。例えば、ビームフォーミングトレーニングは、ビーコン送信間隔（ＢＴＩ）中、アソシエーションビームフォーミングトレーニング（Ａ−ＢＦＴ）期間中、及び／又は任意の他の期間中に実行されてよい。
【００４７】
いくつかの例示的な実施形態において、第１の局及び第２の局の一方の局は、ビームフォーミングイニシエータ局（「イニシエータ」）の機能を実行することができ、第１の局及び第２の局の他方の局は、ビームフォーミングレスポンダ局（「レスポンダ」）の機能を実行することができる。
【００４８】
一例において、例えば、ＢＦトレーニングがＢＴＩ及び／又はＡ−ＢＦＴ中に実行される場合、イニシエータは、ＰＣＰ／ＡＰ  ＳＴＡを含み得、レスポンダは、非ＰＣＰ／非ＡＰ  ＳＴＡを含み得る。例えば、ドッキングデバイス（Ｄｏｃｋ）は、非ＰＣＰ／ＡＰ  ＳＴＡの機能を実行することができ、局デバイス（ＳＴＡ）は、ＰＣＰ／ＡＰ  ＳＴＡの機能を実行することができる。他の例においては、イニシエータ及び／又はレスポンダは、任意の他の局の任意の他の組合せを含んでもよい。
【００４９】
いくつかの例示的な実施形態において、イニシエータは、送信セクタスイープ（ＴＸＳＳ）を実行して、イニシエータのためにＢＦリンクをトレーニングすることができる。
【００５０】
いくつかの例示的な実施形態において、イニシエータは、イニシエータセクタスイープ（ＩＳＳ；initiator  sector  sweep）中に、送信（Ｔｘ）セクタスイープ（ＴＸＳＳ）を実行することができる。例えば、Ｔｘセクタスイープ（ＳＳＷ）中に、イニシエータは、例えば、イニシエータの複数のＴｘセクタをスイープすることにより、複数の方向に信号を送信することができる。
【００５１】
いくつかの例示的な実施形態において、レスポンダは、例えば、レスポンダセクタスイープ（ＲＳＳ；responder  sector  sweep）中に、ＴＸＳＳを実行して、レスポンダのためにＢＦリンクをトレーニングすることができる。
【００５２】
いくつかの例示的な実施形態において、ＲＳＳ中に、レスポンダは、例えば、ＩＳＳ中に最良の受信が達成された、イニシエータのＴｘセクタ（「最良Ｔｘセクタ」）のインジケーションを含む１以上のフレームを、イニシエータに送信することができる。最良Ｔｘセクタは、ビームフォーミングリンクを介してレスポンダと通信するためにイニシエータにより使用されるべき選択されたＴｘセクタを、イニシエータに示すことができる。
【００５３】
いくつかの例示的な実施形態において、イニシエータ及びレスポンダは、Ｔｘセクタスイープの後に１以上のフレームを通信することができる。
【００５４】
いくつかの例示的な実施形態において、イニシエータは、例えばＲＳＳの後にＳＳＷフィードバックフレームをレスポンダに送信することができる。
【００５５】
いくつかの例示的な実施形態において、レスポンダは、例えばＳＳＷフィードバックフレームの後にＳＳＷアクノレッジメント（ＡＣＫ）フレームを送信することができる。
【００５６】
いくつかの例示的な実施形態において、共通周波数チャネル上の２つのビームフォーミングリンクは、互いと干渉することがある（例えば、これらのビームフォーミングリンクが少なくとも部分的に重なっているパスを有する場合）。
【００５７】
いくつかの走査及びリンク品質測定手法（scanning  and  link  quality  measurement  approach）を使用して、周波数チャネル上の通信デバイス群の存在を識別することができる。
【００５８】
いくつかのスペクトル及び無線管理レポート（spectrum  and  radio  management  report）を使用して、複数の周波数チャネルにおいて観測されたＢＳＳ及びリンク負荷に関する情報を提供することができる。しかしながら、これらのレポートは、無線信号の全方向伝搬（omni-propagation）のために最適化されており、したがって、互いと干渉することなく同じ周波数チャネルにおいて共存し得る複数の一方向リンク（例えば、ビームフォーミングリンク）に対しては効果的ではないこともある。
【００５９】
別の手法は、シングルユーザ複数入力複数出力（ＳＵ−ＭＩＭＯ）ビームフォーミング技術又はマルチユーザＭＩＭＯ（ＭＵ−ＭＩＭＯ）ビームフォーミング技術を使用して、スループットを向上させるために、複数のアンテナを有するＳＴＡ（ビームフォーマ）が、チャネルの知識を用いて信号を操作できるようにすることである。ＳＵ−ＭＩＭＯビームフォーミングでは、送信信号における全ての空間−時間ストリームが、単一のＳＴＡにおける受信のために意図される。ＭＵ−ＭＩＭＯビームフォーミングでは、空間−時間ストリームが、１以上のＳＴＡ間で分割される。しかしながら、これらの技術は、参加デバイス間での厳密な同期化（tight  synchronization）を必要とするものであり、同じＢＳＳに属するデバイス群による使用に制限される。
【００６０】
いくつかの例示的な実施形態において、例えば無線通信ユニット１０４といったデバイスは、このデバイスにより使用されるビームフォーミングリンクが、別のデバイスにより使用される別のビームフォーミングリンク（例えば、無線通信ユニット１３２及び／又は１６２により使用されるビームフォーミングリンク）と干渉し得るかどうかを判定することができる。
【００６１】
いくつかの例示的な実施形態において、無線通信ユニット１０４は、チャネル上に無線通信ユニット１０４により確立されるビームフォーミングリンク（例えば、新たに確立されるビームフォーミングリンク）が、そのチャネル上の１以上の他のビームフォーミングリンク（例えば、既存のビームフォーミングリンク）と干渉し得るかどうかを、例えば前もって、判定することができる。
【００６２】
いくつかの例示的な実施形態において、無線通信ユニット１０４は、ビームフォーミングリンクが、同じチャネル上の別のビームフォーミングリンクと干渉し得るかどうかの判定に基づいて、ビームフォーミングリンクを構成することができる。
【００６３】
いくつかの例示的な実施形態において、無線通信ユニット１０４は、例えば、ビームフォーミングリンクが、他のビームフォーミングリンクと干渉し得ると判定された場合（例えば、ビームフォーミングリンクが、他のビームフォーミングリンクと同じチャネル上に確立される場合）、他のビームフォーミングリンクにより使用されるチャネルとは異なる別のチャネル上で動作するよう、ビームフォーミングリンクを構成することができる。
【００６４】
いくつかの例示的な実施形態において、無線通信ユニット１０４は、例えば以下で説明するように、指向性走査（directive  scanning）を実行して、１以上の他のビームフォーミングリンクがビームフォーミングリンクと干渉し得るかどうかを識別することができる。
【００６５】
いくつかの例示的な実施形態において、無線通信ユニット１０４は、例えば以下で説明するように、ＷＭ１０３を介して通信された１以上のビームフォーミングフレームに基づいて、１以上の他のビームフォーミングリンクがビームフォーミングリンクと干渉し得るかどうかを判定することができる。
【００６６】
いくつかの例示的な実施形態において、無線通信ユニット１０４は、例えば以下で説明するように、例えば、２つの他のデバイス間におけるビームフォーミングリンクの確立中に２つの他のデバイス間で交換された通信に基づいて、２つの他のデバイス間のビームフォーミングリンクを識別することができる。
【００６７】
いくつかの例示的な実施形態において、無線通信ユニット１０４は、例えば以下で説明するように、無線通信デバイス１３０及び１６０の間におけるビームフォーミングリンクの確立中に無線通信デバイス１３０及び１６０により交換される通信をインターセプトすることができる。
【００６８】
いくつかの例示的な実施形態において、システム１００の無線通信ユニット（例えば、無線通信ユニット１０４、１３２、及び／又は１６２）は、ビームフォーミングイニシエータによるＴｘ  ＳＳＷの送信の後に送信されたビームフォーミングフレームを処理するよう構成することができる。
【００６９】
いくつかの例示的な実施形態において、ビームフォーミングフレームは、例えば以下で説明するように、ビームフォーミングイニシエータ局又はビームフォーミングレスポンダ局の第１の局から、ビームフォーミングイニシエータ局又はビームフォーミングレスポンダ局の第２の局に送信され得る。
【００７０】
いくつかの例示的な実施形態において、ビームフォーミングフレームは、指向性ビームフォーミング伝送（directional  beamformed  transmission）を第２の局に送信するために第１の局により使用される、例えば第２の局からのＴｘ  ＳＳＷフィードバックに基づく選択されたＴｘセクタのインジケーションを含み得る。
【００７１】
いくつかの例示的な実施形態において、無線通信ユニット１０４は、選択されたＴｘセクタのインジケーションを含むビームフォーミングフレームを送信することができる。
【００７２】
例えば、無線通信ユニット１０４は、例えば以下で説明するように、指向性ビームフォーミング伝送を無線通信ユニット１３２に送信するために無線通信ユニット１０４により使用されるＴｘセクタのインジケーションを含むビームフォーミングフレームを送信することができる。
【００７３】
いくつかの例示的な実施形態において、無線通信ユニット１０４は、選択されたＴｘセクタのインジケーションを含むビームフォーミングフレームを受信することができる。
【００７４】
例えば、無線通信ユニット１０４は、例えば以下で説明するように、指向性ビームフォーミング伝送を送信するために無線通信ユニット１３２により使用されるＴｘセクタのインジケーションを含むビームフォーミングフレームを、無線通信ユニット１３２から受信することができる。
【００７５】
いくつかの例示的な実施形態において、無線通信ユニット１０４は、指向性ビームフォーミング伝送を第２の局に送信する第１の局により使用される選択されたＴｘセクタのインジケーションを含むビームフォーミングフレームを受信することができる。
【００７６】
例えば、無線通信ユニット１３２及び１６２は、イニシエータ局及びレスポンダ局の機能を実行することができ、無線通信ユニット１０４は、例えば以下で説明するように、指向性ビームフォーミング伝送を無線通信ユニット１６２に送信するために無線通信ユニット１３２により使用される選択されたＴｘセクタのインジケーションを含むビームフォーミングフレームを、無線通信ユニット１３２から受信することができる。
【００７７】
いくつかの例示的な実施形態において、無線通信ユニット１０４は、例えば以下で説明するように、例えば選択されたＴｘセクタのインジケーションに基づいて、無線通信ユニット１３２及び１６２の間のビームフォーミングリンクが、無線通信ユニット１０４により確立されるビームフォーミングリンクと干渉し得るかどうかを判定することができる。
【００７８】
いくつかの例示的な実施形態において、無線通信ユニット１０４は、例えば、無線通信ユニット１０４のＲｘアンテナが全方向モードで動作する場合であっても、且つ／あるいは、デバイス１３０及び／又は１６０の位置に関する情報を必要とすることなく、無線通信ユニット１３２及び１６２の間のビームフォーミングリンクが、無線通信ユニット１０４により確立されるビームフォーミングリンクと干渉し得るかどうかを判定することができる。
【００７９】
いくつかの例示的な実施形態において、第１の局及び第２の局（例えば、無線通信ユニット１３２及び１６２）は、第１の局と第２の局との間でビームフォーミングリンクを介して送信するためにこれらの局により使用されるＴｘセクタのインジケーションを含む１以上のＢＦフレームを通信することができる。
【００８０】
いくつかの例示的な実施形態において、第１の局及び第２の局は、例えば以下で説明するように、ＳＳＷフィードバックフィールドの一部として、Ｔｘセクタのインジケーションを通信することができる。
【００８１】
いくつかの例示的な実施形態において、無線通信ユニット１３２は、無線通信ユニット１３２のＴｘセクタを介して、ＳＳＷフレームを送信することができる。ここで、ＳＳＷフレームは、ＳＳＷフィードバックフィールドを含み、ＳＳＷフィードバックフィールドは、ＳＳＷフレームを送信するために使用される、無線通信ユニット１３２のＴｘセクタのインジケーションを含み得る。
【００８２】
例えば、無線通信ユニット１３２は、無線通信ユニット１３２及び１６２の間でビームフォーミングリンクを介して送信するために無線通信ユニット１３２により使用されるＴｘセクタのインジケーションを含むＳＳＷフィードバックフィールドを含むＳＳＷフレームを、無線通信ユニット１６２に送信することができる。
【００８３】
一例において、無線通信ユニット１３２は、ビームフォーミングレスポンダの機能を実行することができ、ＳＳＷフレームは、ＳＳＷ  ＡＣＫフレームを含み得る。
【００８４】
別の例において、無線通信ユニット１３２は、ビームフォーミングイニシエータの機能を実行することができ、ＳＳＷフレームは、ＳＳＷフィードバックフレームを含み得る。
【００８５】
いくつかの例示的な実施形態において、無線通信ユニット１０４は、複数の方向からの通信を受信するよう、無線通信ユニット１０４の受信機を準全方向モード（quasi  omni-directional  mode）で動作させることができる。
【００８６】
いくつかの例示的な実施形態において、無線通信ユニット１０４は、例えばビームフォーミングリンクの確立中に、他のデバイスにより通信されるＢＦフレームを受信することができる。ＢＦフレームは、ＢＦリンクを介して送信するために使用されるＴｘセクタのインジケーションを含み得る。例えば、無線通信ユニット１０４は、無線通信ユニット１３２及び１６２の間で通信されるＳＳＷフレームを受信することができる。
【００８７】
いくつかの例示的な実施形態において、無線通信ユニット１０４は、例えば以下で説明するように、受信したＴｘセクタインジケーションを使用して、干渉する可能性がある１以上のビームフォーミングリンクを識別する干渉テーブルを構築することができる。
【００８８】
いくつかの例示的な実施形態において、無線通信ユニット１０４は、例えば以下で説明するように、干渉テーブルに基づいて、ビームフォーミングリンクを確立するために使用されるチャネルを決定することができる。
【００８９】
いくつかの例示的な実施形態において、無線通信ユニット１０４は、第１のチャネルを介して無線通信ユニット１３２から送信されたビームフォーミングフレームを受信することができる。ＢＦフレームは、例えば上述したように、ＢＦフレームを送信するための、無線通信ユニット１３２のＴｘセクタのインジケーションを含み得る。
【００９０】
いくつかの例示的な実施形態において、無線通信ユニット１０４は、例えば以下で説明するように、無線通信ユニット１０４の１以上のＴｘセクタと無線通信ユニット１３２のＴｘセクタとの間の関係を定めることができる。
【００９１】
いくつかの例示的な実施形態において、無線通信ユニット１０４は、例えば以下で説明するように、無線通信ユニット１３２のＴｘセクタの方向に向けられた、無線通信ユニット１０４のＴｘセクタを識別することができる。
【００９２】
いくつかの例示的な実施形態において、無線通信ユニット１０４は、例えば以下で説明するように、無線通信ユニット１０４の複数のＴｘセクタと第１の複数の局のＴｘセクタとを関連付ける第１のＢＦ情報を、例えば、無線通信ユニット１０４と第１の複数の局との間のビームフォーミングトレーニングに基づいて、定めることができる。
【００９３】
いくつかの例示的な実施形態において、無線通信ユニット１０４は、例えば以下で説明するように、無線通信ユニット１０４の複数のＴｘセクタのＴｘセクタ識別子のリストの形態で、第１のＢＦ情報を保持することができ、ここで、Ｔｘ識別子は、第１の複数の局のうちの局のアドレスと、この局のＴｘセクタのＴｘセクタ識別子と、に関連付けられる。
【００９４】
いくつかの例示的な実施形態において、無線通信ユニット１０４は、第２の複数の局のＴｘセクタと第３の複数の局のＴｘセクタとを関連付ける第２のＢＦ情報を、例えば、第２の複数の局と第３の複数の局との間で通信されたビームフォーミングフレームに基づいて、定めることができる。例えば、無線通信ユニット１０４は、無線通信ユニット１３２のＴｘセクタと無線通信ユニット１６２のＴｘセクタとを関連付ける第２のＢＦ情報を、例えば、無線通信ユニット１３２と無線通信ユニット１６２との間で通信されたビームフォーミングフレーム（例えば、ＳＳＷフレーム）に基づいて、定めることができる。
【００９５】
一例において、第１の複数の局は、無線通信ユニット１３２を含み得、第２の複数の局は、無線通信ユニット１６２を含み得、第３の複数の局は、無線通信ユニット１３２を含み得る。
【００９６】
この例に従うと、第１のＢＦ情報は、無線通信ユニット１０４のＴｘセクタと無線通信ユニット１３２のＴｘセクタとを関連付けることができ、第２のＢＦ情報は、無線通信ユニット１６２のＴｘセクタと無線通信ユニット１３２のＴｘセクタとを関連付けることができる。
【００９７】
いくつかの例示的な実施形態において、無線通信ユニット１０４は、例えば以下で説明するように、第３の複数の局の局アドレスのリストの形態で、第２のＢＦ情報を保持することができ、ここで、第３の複数の局のうちの局のアドレスは、第２の複数の局のうちの局のアドレスと、第２の複数の局のうちのこの局のＴｘセクタのＴｘセクタ識別子と、に関連付けられる。
【００９８】
いくつかの例示的な実施形態において、無線通信ユニット１０４は、無線通信ユニット１３２と無線通信ユニット１６２との間の接続（engagement）を検出することができ、例えば第２のＢＦ情報に基づいて、無線通信ユニット１６２に送信するために無線通信ユニット１３２により使用されるＴｘセクタを決定することができる。無線通信ユニット１０４は、例えば第１のＢＦ情報に基づいて、無線通信ユニット１３２のＴｘセクタに対応する、無線通信ユニット１０４のＴｘセクタを識別することができる。
【００９９】
いくつかの例示的な実施形態において、例えば以下で説明するように、例えば、無線通信ユニット１０４のＴｘセクタが、無線通信ユニット１３２のＴｘセクタの方向に向けられ、無線通信ユニット１０４により、無線通信ユニット１３２が、無線通信ユニット１３２のＴｘセクタを用いて第１のチャネルを介して通信するために接続されていることが検出された場合、無線通信ユニット１０４は、無線通信ユニット１０４のＴｘセクタを用いて第１のチャネルを介して通信することを回避することができる。
【０１００】
いくつかの例示的な実施形態において、無線通信ユニット１０４は、例えば以下で説明するように、無線通信ユニット１０４のＴｘセクタを介して通信するための、第１のチャネルとは異なる第２のチャネルを決定することができる。
【０１０１】
次に図２を参照すると、図２は、いくつかの例示的な実施形態に従った、複数の無線通信デバイス間の指向性ビームフォーミングリンクを概略的に示している。
【０１０２】
いくつかの例示的な実施形態において、図２の無線通信デバイスのうちの１以上の無線通信デバイスは、ドッキング局（Ｄｏｃｋ）の機能を実行することができ、且つ／あるいは、図２の無線通信デバイスのうちの１以上の無線通信デバイスは、局（ＳＴＡ）の機能を実行することができる。
【０１０３】
例えば、図２に示されるように、いくつかの例示的な実施形態において、無線通信デバイス２０２は、Ｄｏｃｋ  Ｘと表記されたドッキング局の機能を実行することができ、無線通信デバイス２０４は、Ｄｏｃｋ  Ｙと表記されたドッキング局の機能を実行することができ、無線通信デバイス２０８は、ＳＴＡ  Ａと表記された局の機能を実行することができ、無線通信デバイス２０６は、ＳＴＡ  Ｄと表記された局の機能を実行することができる。他の実施形態では、無線通信デバイス２０２、２０４、２０６、及び／又は２０８は、任意の他の機能を実行してもよい。
【０１０４】
いくつかの例示的な実施形態において、無線通信デバイス２０４は、無線通信デバイス１０２（図１）の機能を実行することができ、且つ／あるいは、無線通信デバイス２０２、２０６、及び／又は２０８は、システム１００（図１）の１以上の他の無線通信デバイス（例えば、無線通信デバイス１３０及び／又は１６０（図１）のうちの１以上を含む）の機能を実行することができる。
【０１０５】
いくつかの例示的な実施形態において、Ｄｏｃｋは、例えばディスカバリか否かといった任意のビーコンに対する、Ａ−ＢＦＴにおけるアクティブ走査応答（active  scanning  responding）をサポートするよう構成することができ、且つ／あるいは、ＳＴＡは、ビーコンを送信することにより、ＤｏｃｋとのＰＢＳＳを確立するよう試みることができる。ＳＴＡは、例えば、確立されたＰＢＳＳのＰＣＰになったときにも、ビーコンを送信することができる。
【０１０６】
いくつかの例示的な実施形態において、無線通信デバイス２０４は、無線通信デバイス２０６との指向性ビームフォーミングリンク２０５を確立するよう試みることができる。
【０１０７】
いくつかの例示的な実施形態において、無線通信デバイス２０４は、例えば以下で説明するように、他のデバイス間の１以上の他の指向性ビームフォーミングリングが、指向性ビームフォーミングリンク２０５と干渉し得るかどうかを識別することができる。
【０１０８】
一例において、図２に示されるように、無線通信デバイス２０４は、無線通信デバイス２０２及び２０８が、指向性ビームフォーミングリンク２０５のパスと重なっているパスを有し得る指向性ビームフォーミングリンク２０９を介する通信に関与している可能性があることを識別することができる。したがって、無線通信デバイス２０４は、例えば、リンク２０５及び２０９の両方が共通の通信チャネル上に形成される場合には、指向性ビームフォーミングリンク２０９が指向性ビームフォーミングリンク２０５と干渉し得ると判定することができる。
【０１０９】
いくつかの例示的な実施形態において、無線通信デバイス２０４は、１以上の他のビーコンデバイス（beaconing  device）（例えば、ＳＴＡ  Ａ及び他のＳＴＡ（図２には示されていないＳＴＡ  Ｂ及びＳＴＡ  Ｃと表記されたもの）を含む）との初期ＢＦを確立することができる。
【０１１０】
いくつかの例示的な実施形態において、無線通信デバイス２０４は、ＳＴＡとのビームフォーミングリンクに関して、無線通信デバイス２０４のＴｘセクタ及びＳＴＡのＴｘセクタを決定することができる。
【０１１１】
いくつかの例示的な実施形態において、無線通信デバイス２０４は、無線通信デバイス２０４のＴｘセクタとＳＴＡのＴｘセクタとを関連付ける第１のＢＦ情報を保持することができる。例えば、無線通信デバイス２０４は、例えば以下のように、第１のＢＦ情報をテーブルの形態で保持することができる。
【表１】
0006273361.tif 000002
【０１１２】
例えば、テーブル１に従うと、Ｄｏｃｋ  ＹのＴｘセクタ＃３及びＳＴＡ  ＡのＴｘセクタ＃５が、Ｄｏｃｋ  ＹとＳＴＡ  Ａとの間でＢＦリンクを介して通信するために選択され得る。
【０１１３】
いくつかの例示的な実施形態において、無線通信デバイス２０４は、１以上のＳＴＡと１以上の他のＤｏｃｋとの間の（例えば、ＳＴＡ  Ａ、Ｂ、及び／又はＣと、Ｄｏｃｋ  Ｘ及び／又は１以上のＤｏｃｋ（例えば、図２には示されていないＤｏｃｋ  Ｚ及びＤｏｃｋ  Ｖと表記された２つの他のＤｏｃｋ）と、の間の）ビームフォーミングの初期ＢＦ情報を収集することができる。
【０１１４】
いくつかの例示的な実施形態において、無線通信デバイス２０４は、ＳＴＡとＤｏｃｋとの間で通信されるＢＦフレームを受信することができる。例えば、ＢＦフレームは、ＢＦトレーニング中にＳＴＡとＤｏｃｋとの間で通信されるＳＳＷフレームを含み得る。
【０１１５】
いくつかの例示的な実施形態において、ＳＴＡとＤｏｃｋとの間で通信されるＢＦフレームは、例えば以下で説明するように、このＢＦフレームを送信するために使用されるＴｘセクタのインジケーションを含み得る。
【０１１６】
図３を参照すると、図３は、いくつかの例示的な実施形態に従った、ＢＦフレームの一部として含まれ得るＳＳＷフィードバックフィールド３００を概略的に示している。
【０１１７】
いくつかの例示的な実施形態において、ＳＳＷフィードバックフィールド３００は、第１のデバイスと第２のデバイスとの間でＢＦリンクを確立するためにＢＦトレーニング中に第１のデバイスと第２のデバイスとの間で通信され得る。例えば、ＳＳＷフィードバックフィールド３００は、例えばＳＴＡ  Ａ（図２）といったＳＴＡと例えばＤｏｃｋ  Ｘ（図２）といったＤｏｃｋとの間で通信され得る。
【０１１８】
いくつかの例示的な実施形態において、ＳＳＷフィードバックフィールド３００は、ＢＦレスポンダからＢＦイニシエータに送信されるＳＳＷ  ＡＣＫフレーム又はＢＦイニシエータからＢＦレスポンダに送信されるＳＳＷフィードバックフレームといったＳＳＷフレームの一部として含まれ得る。
【０１１９】
いくつかの例示的な実施形態において、ＳＳＷフィードバックフィールド３００は、ＳＳＷフレームの受信側により使用される選択されたＴｘセクタを示すセクタ選択フィールド３０２を含み得る。
【０１２０】
いくつかの例示的な実施形態において、ＳＳＷフィードバックフィールド３００はまた、ＳＳＷフィードバックフィールド３００を送信するために使用されるＴｘセクタを示すフィールド３０４（「使用されるセクタ」と表記されている）を含み得る。
【０１２１】
例えば、ＳＳＷフィードバックフィールド３００は、例えばＳＳＷフィードバックフレームの一部として、ＳＴＡ  ＡからＤｏｃｋ  Ｘに送信され得る。この例に従うと、フィールド３０４は、ＳＳＷフィードバックフィールド３００を送信するために使用される、ＳＴＡ  ＡのＴｘセクタのインジケーションを含み得る。
【０１２２】
別の例において、ＳＳＷフィードバックフィールド３００は、例えばＳＳＷ  ＡＣＫフレームの一部として、Ｄｏｃｋ  ＸからＳＴＡ  Ａに送信され得る。この例に従うと、フィールド３０４は、ＳＳＷフィードバックフィールド３００を送信するために使用される、Ｄｏｃｋ  ＸのＴｘセクタのインジケーションを含み得る。
【０１２３】
再度図２を参照すると、無線通信デバイス２０４は、ＳＴＡのＴｘセクタとＤｏｃｋのＴｘセクタとを関連付ける第２のＢＦ情報を保持することができる。例えば、無線通信デバイス２０４は、ＳＴＡとＤｏｃｋとの間で通信されたＳＳＷフレームの「使用されるセクタ」フィールド３０４（図３）に基づいて、第２のＢＦ情報を定めることができる。
【０１２４】
例えば、無線通信デバイス２０４は、例えば以下のように、第２のＢＦ情報をテーブルの形態で保持することができる。
【表２】
0006273361.tif 000003
【０１２５】
いくつかの例示的な実施形態において、Ｄｏｃｋ  Ｙは、例えば、ＳＳＷフィードバックフィールドの方向サブフィールドが、ＳＳＷフレームがビームフォーミングレスポンダにより送信されることを示す１に設定されている場合には、ＳＳＷフレームのＳＳＷフィードバックフィールド（図３）のセクタ選択サブフィールド（例えば、フィールド３０４（図３））から、ＳＴＡの選択されるＴｘセクタ＃を定めることができ、Ｔｘアドレス（ＴＡ）サブフィールドから、ＳＴＡアドレス情報を定めることができる。
【０１２６】
いくつかの例示的な実施形態において、Ｄｏｃｋ  Ｙは、ＳＴＡにより通信されたＳＳＷフィードバックフレームに基づいて、ＳＴＡの選択されるＴｘセクタ＃を定めることができる。
【０１２７】
いくつかの例示的な実施形態において、Ｄｏｃｋ  Ｙは、Ｄｏｃｋにより通信されたＳＳＷ  ＡＣＫフレームに基づいて、ＳＴＡの選択されるＴｘセクタ＃を定めることができる。
【０１２８】
いくつかの例示的な実施形態において、Ｄｏｃｋ  Ｙは、ＳＴＡのうちの１以上のＳＴＡが、Ｄｏｃｋのうちの１以上のＤｏｃｋとの通信に関与しているかどうかを示す接続情報を定めることができる。例えば、Ｄｏｃｋ  Ｙは、ＳＴＡとＤｏｃｋとの間で通信される、接続を示し得る任意の管理フレームを観測することができる。そのような管理フレームは、例えば、アソシエーション応答（association  response）、グループ所有者（ＧＯ；group  owner）ネゴシエーションフレーム、及び／又は接続を示し得る任意の他のフレームである。
【０１２９】
いくつかの例示的な実施形態において、Ｄｏｃｋ  Ｙは、例えば以下のように、接続情報をテーブルの形態で保持することができる。
【表３】
0006273361.tif 000004
【０１３０】
いくつかの例示的な実施形態において、Ｄｏｃｋ  Ｙは、１以上の他のＢＦリンクと干渉し得る、Ｄｏｃｋ  Ｙの１以上のＴｘセクタを識別することができる。
【０１３１】
いくつかの例示的な実施形態において、Ｄｏｃｋ  ＹのＴｘセクタは、例えば、ＢＦリンク上のＴｘセクタを介する伝送が、１以上のＳＴＡ及びＤｏｃｋの間の１以上の他のＢＦリンクと干渉し得る場合に、他のＢＦリンクと干渉するものとして識別され得る。
【０１３２】
いくつかの例示的な実施形態において、Ｄｏｃｋ  Ｙは、例えば接続情報に基づいて、接続されているリンクが存在するかどうかを判定することができる。例えば、テーブル３に従うと、Ｄｏｃｋ  Ｘ及びＳＴＡ  Ａは接続されている可能性が高く、Ｄｏｃｋ  Ｚ及びＳＴＡ  Ｂは接続されている可能性が高く、Ｄｏｃｋ  Ｖ及びＳＴＡ  Ｃは接続されていない可能性が高い。
【０１３３】
いくつかの例示的な実施形態において、Ｄｏｃｋ  Ｙは、例えば第２のＢＦ情報に基づいて、接続されるＳＴＡのＴｘセクタを判別することができる。例えば、テーブル２に従うと、ＳＴＡ  Ａは、Ｔｘセクタ＃５を使用することができ、ＳＴＡ  Ｂは、Ｔｘセクタ＃９を使用することができる。
【０１３４】
いくつかの例示的な実施形態において、Ｄｏｃｋ  Ｙは、例えば第１のＢＦ情報に基づいて、接続されるＳＴＡのＴｘセクタが、接続されるＳＴＡがＤｏｃｋ  Ｙに送信するのに使用するであろうセクタであるかどうかを判定することができる。例えば、テーブル１に従うと、接続されるＳＴＡ  Ａは、Ｄｏｃｋ  Ｚと通信するためにＴｘセクタ＃５を使用し、接続されるＳＴＡ  Ａは、Ｄｏｃｋ  Ｙとの通信のために同じＴｘセクタ＃５を使用する。
【０１３５】
いくつかの例示的な実施形態において、Ｄｏｃｋ  Ｙは、例えば第１のＢＦ情報に基づいて、接続されるＳＴＡと通信するために使用される、Ｄｏｃｋ  ＹのＴｘセクタを決定することができる。例えば、テーブル１に従うと、Ｄｏｃｋ  Ｙは、接続されるＳＴＡ  Ａと通信するためにＴｘセクタ＃３を使用する。
【０１３６】
いくつかの例示的な実施形態において、Ｄｏｃｋ  Ｙは、ＳＴＡとのＢＦリンクが、２つの他のデバイス間の他のＢＦと干渉する可能性があるかどうかを判定することができる。
【０１３７】
例えば、Ｄｏｃｋ  Ｙは、ＳＴＡ  Ｄから接続招待（invitation）を受信することがあり、ＳＴＡ  Ｄとの指向性ＢＦリンク２０５が、接続されているデバイスの指向性リンクと干渉するかどうかを判定することができる。
【０１３８】
いくつかの例示的な実施形態において、Ｄｏｃｋ  Ｙは、ＳＴＡ  Ｄとの初期ＢＦを確立することができ、Ｄｏｃｋ  ＹのＴｘセクタが、ＳＴＡ  Ｄと通信するために選択され得る。
【０１３９】
一例において、Ｄｏｃｋ  ＹのＴｘセクタ＃３が、ＳＴＡ  Ｄと通信するために選択され得る。
【０１４０】
この例に従うと、Ｄｏｃｋ  Ｙは、ＳＴＡ  Ｄと通信するために選択されるＤｏｃｋ  ＹのＴｘセクタ＃３が、ＳＴＡ  Ａと通信するために使用されるであろう、Ｄｏｃｋ  Ｙの同じＴｘセクタであり、ＳＴＡ  Ａが、Ｄｏｃｋ  Ｙと通信するためにＴｘセクタ＃５を使用するであろうことを識別することができる。テーブル２に従うと、ＳＴＡ  Ａは、Ｄｏｃｋ  Ｘとの接続において、Ｔｘセクタ＃５をすでに使用している可能性が高い。したがって、Ｄｏｃｋ  Ｙは、Ｄｏｃｋ  ＹとＳＴＡ  Ｄとの間で確立される新たなビームリンク２０５が、Ｄｏｃｋ  ＸとＳＴＡ  Ａとの間の既存のビームリンク２０９と干渉し得ると判定することができる。
【０１４１】
いくつかの例示的な実施形態において、Ｄｏｃｋ  Ｙは、１以上のチャネルが、占有されているかどうかと、１以上のチャネルが、ＳＴＡ  ＤとのＢＦリンクを確立するために使用できないかどうかと、を判定することができる。例えば、Ｄｏｃｋ  Ｙは、Ｄｏｃｋ  ＸとＳＴＡ  Ａとの間の通信のために使用されるチャネルは、ＳＴＡ  ＤとのＢＦリンクを確立するためには回避されるべきであると判定することができる。
【０１４２】
いくつかの例示的な実施形態において、Ｄｏｃｋ  Ｙは、新たなビームリンク２０５のための使用されていないチャネル及び占有されているチャネルについてＳＴＡ  Ｄに通知することができる。
【０１４３】
いくつかの例示的な実施形態において、ＳＴＡ  Ｄは、Ｄｏｃｋ  ＹとＳＴＡ  Ｄとの間でＢＦリンク２５０と確立するために、空いているチャネルのうちの１つのチャネルにともに切り替えるよう、Ｄｏｃｋ  Ｙに指示することができる。
【０１４４】
再度図１を参照すると、いくつかの例示的な実施形態において、無線通信ユニット１０４、１３２、及び／又は１６２は、例えば以下で説明するように、ビームフォーミングフレームの送信元の局のＲｘセクタに対応する測定結果のレポートを含むビームフォーミングフレームであって、その局により送信されるビームフォーミングフレームを通信することができる。
【０１４５】
いくつかの例示的な実施形態において、このレポートは、例えば以下で説明するように、ビームフォーミングリンクを確立するために使用される無線通信周波数帯域の複数のチャネル（例えば、一部のチャネル又は全てのチャネル）に対応する複数のチャネル負荷（「リンク負荷」とも呼ばれる）を含み得る。
【０１４６】
いくつかの例示的な実施形態において、ビームフォーミングフレームは、このＲｘセクタに対応する前述のレポートを含む指向性測定レポートフレーム（Directional  measurement  report  frame）を含み得る。
【０１４７】
いくつかの例示的な実施形態において、このＲｘセクタは、例えば以下で説明するように、ビームフォーミングのために使用される、局の選択されたＴｘセクタに関連付けられたＲｘセクタを含み得る。
【０１４８】
いくつかの例示的な実施形態において、ビームフォーミングフレームは、例えば以下で説明するように、ＢＦフレームの送信元の局の選択されたＴｘセクタのインジケーションを含み得る。
【０１４９】
図４を参照すると、図４は、いくつかの例示的な実施形態に従ったＴｘセクタ情報要素（ＩＥ）４００を概略的に示している。
【０１５０】
いくつかの例示的な実施形態において、ＴｘセクタＩＥ４００は、第１の無線通信デバイスと第２の無線通信デバイスとの間で通信されるビームフォーミングフレームの一部として含まれ得る。
【０１５１】
いくつかの例示的な実施形態において、ＴｘセクタＩＥ４００は、第１の無線通信デバイスから第２の無線通信デバイスに送信される指向性測定レポートの一部として含まれ得る。
【０１５２】
いくつかの例示的な実施形態において、指向性測定レポートは、例えば以下で説明するように、第１の無線通信デバイスのＲｘセクタに関して第１の無線通信デバイスにより実行された測定の結果のレポートを含み得る。
【０１５３】
いくつかの例示的な実施形態において、ＴｘセクタＩＥ４００は、ＴｘセクタＩＥ４００を送信するために使用される、第１の無線通信デバイスのＴｘセクタを示すフィールド４０２（「Ｔｘセクタ＃」）を含み得る。
【０１５４】
いくつかの例示的な実施形態において、フィールド４０２は、ビームフォーミングリンクを介して通信するために第１の無線通信デバイスにより使用される選択されたＴｘセクタを示すことができる。
【０１５５】
いくつかの例示的な実施形態において、フィールド４０２は、例えば以下で説明するように、Ｒｘセクタに関連付けられたＴｘセクタを示すことができる。
【０１５６】
再度図１を参照すると、いくつかの例示的な実施形態において、無線通信ユニット１０４は、無線通信ユニット１０４の複数のＴｘセクタと無線通信ユニット１０４の複数のＲｘセクタとを関連付けるＴｘ−Ｒｘ情報を、例えば適合性テーブル（compliance  table）の形態で、保持することができる。
【０１５７】
いくつかの例示的な実施形態において、無線通信ユニット１０４は、無線通信ユニット１０４のＴｘセクタに関して、例えば無線通信ユニット１０４のＴｘセクタごとに、Ｔｘセクタに関連付けられた、無線通信ユニット１０４の１以上のＲｘセクタのインジケーションを保持することができる。
【０１５８】
いくつかの例示的な実施形態において、Ｔｘセクタに関連付けられた１以上のＲｘセクタは、Ｔｘセクタのビーム指向性（beam  directionality）に対応するビーム指向性を有する、無線通信ユニット１０４の１以上のＲｘセクタであり得る。
【０１５９】
一例において、Ｔｘセクタは、Ｔｘセクタと相互的である（reciprocal）Ｒｘセクタに関連付けられ得る。
【０１６０】
いくつかの例示的な実施形態において、Ｔｘ−Ｒｘ情報は、例えば以下のように、テーブル（「適合性テーブル」）の形態で保持することができる。
【表４】
0006273361.tif 000005
【０１６１】
いくつかの例示的な実施形態において、この関係は、例えば、Ｒｘアンテナ及びＴｘアンテナが相互的である場合には、１対１であり得る。
【０１６２】
いくつかの例示的な実施形態において、Ｒｘ及びＴｘに関して異なるアンテナが使用されることがあり、この関係は、例えば、専用トレーニングセッション（dedicated  training  session）中に確立され得る、あるいは、定期的機能（regular  functionality）中に蓄積され得る。例えば、無線通信ユニット１０４は、例えば、ピアデバイスが、相互的であるＴｘアンテナ及びＲｘアンテナを有する場合には、イニシエータ及びレスポンダのＴｘＳＳ、ＲＳＳ、及びＳＳＷフィードバックが終了した後にＲｘＳＳを実行することができる。ピアデバイスとの接続に関して識別されたＲｘセクタは、識別されたＴｘセクタを補完する（complementary）ものであり得、この関係が、テーブル４に反映され得る。
【０１６３】
いくつかの例示的な実施形態において、無線通信ユニット１０４は、例えば以下で説明するように、Ｔｘ−Ｒｘ情報を使用して、例えば、通信チャネル上で無線通信ユニット１０４のＴｘセクタにより確立されるＢＦリンクと干渉し得る、干渉する可能性のあるＢＦリンクが存在し得るかどうかを判定することができる。
【０１６４】
いくつかの例示的な実施形態において、無線通信ユニット１０４と無線通信ユニット１３２との間でＢＦリンクを確立するために、無線通信ユニット１０４は、レスポンダ局の機能を実行することができ、無線通信ユニット１３２は、イニシエータ局の機能を実行することができる。
【０１６５】
いくつかの例示的な実施形態において、ＢＦリンクのために使用される、イニシエータのＴｘセクタ及びレスポンダのＴｘセクタは、例えばＢＦトレーニング中に、決定され得る。
【０１６６】
いくつかの例示的な実施形態において、無線通信ユニット１０４は、ＢＦリンクを介して通信するために無線通信ユニット１０４により使用される選択されたＴｘセクタのインジケーションを、無線通信ユニット１３２から受信することができる。
【０１６７】
いくつかの例示的な実施形態において、無線通信ユニット１０４は、例えば無線通信ユニット１０４のＴｘ−Ｒｘ情報に従って、無線通信ユニット１０４の選択されたＴｘセクタに対応する１以上のＲｘセクタを識別することができる。無線通信ユニット１３２は、例えば無線通信ユニット１３２のＴｘ−Ｒｘ情報に従って、無線通信ユニット１３２の選択されたＴｘセクタに対応する１以上のＲｘセクタを識別することができる。
【０１６８】
いくつかの例示的な実施形態において、無線通信ユニット１０４は、無線通信ユニット１０４の選択されたＴｘセクタに対応する１以上のＲｘセクタを使用して、１以上のチャネル（例えば、全ての利用可能なチャネル）を走査することができる。
【０１６９】
いくつかの例示的な実施形態において、無線通信ユニット１３２は、無線通信ユニット１３２の選択されたＴｘセクタに対応する１以上のＲｘセクタを使用して、１以上のチャネル（例えば、全ての利用可能なチャネル）を走査することができる。
【０１７０】
いくつかの例示的な実施形態において、無線通信ユニット１０４及び１３２は、例えば、走査に関して、あるいは走査中に、デバイス間のいかなるインタラクションもなく、独立してチャネルを走査することができる。
【０１７１】
いくつかの例示的な実施形態において、無線通信ユニット１０４は、例えばＲｘセクタを介する走査に基づいて、Ｒｘセクタの方向におけるチャネル上のリンク負荷を判定することができる。
【０１７２】
いくつかの例示的な実施形態において、Ｒｘセクタの方向におけるチャネル上のリンク負荷は、そのＲｘセクタに対応するＴｘセクタの方向におけるチャネルでの可能性のある干渉を示すことができる。
【０１７３】
いくつかの例示的な実施形態において、無線通信ユニット１０４は、例えば、選択されたＴｘセクタとは無関係に、あるいは、選択されたＴｘセクタのインジケーションを受信する前に、無線通信リンク１０４の１以上のＲｘセクタに関するリンク負荷を判定することができる。
【０１７４】
例えば、無線通信ユニット１０４は、無線通信ユニット１０４のＲｘセクタをスイープすることにより、周波数チャネルを走査して、各チャネル上の各Ｒｘセクタに関するチャネル負荷を測定することができる。無線通信ユニット１０４は、周波数チャネルごとのＲｘセクタごとの検出されたチャネル負荷の複数のレポートを保持することができる。無線通信ユニット１０４は、選択されたＴｘセクタのインジケーションを受信して、例えばテーブル４に基づいて、選択されたＴｘセクタに関連付けられたＲｘセクタに対応するレポートを取得することができる。
【０１７５】
いくつかの例示的な実施形態において、無線通信ユニット１０４は、無線通信ユニット１０４による通信に影響を及ぼし得ない時間期間中に、Ｒｘセクタの走査を実行することができる。
【０１７６】
いくつかの例示的な実施形態において、無線通信ユニット１０４は、ＢＦレスポンダの機能を実行することができる。例えば、無線通信ユニット１０４は、無線通信ユニット１０４のアドレスと、無線通信ユニット１０４により使用される選択されたＴｘセクタのインジケーションと、を含むユニキャスト受信アドレス（ＲＡ）を伴うディスカバリビーコンを、無線通信ユニット１３２から受信することができる。これらの実施形態に従うと、無線通信ユニット１０４は、例えば、ディスカバリビーコンの受信後の時間期間中（例えば、ユーザ介入（user  intervention）の時間中）に、選択されたＴｘセクタに関連付けられたＲｘセクタを走査することができる。
【０１７７】
いくつかの例示的な実施形態において、無線通信ユニット１０４は、ビームフォーミングのために使用される選択されたＴｘセクタのインジケーションと、選択されたＴｘセクタに対応するＲｘセクタにおいて検出されたチャネル負荷のレポートと、を含むビームフォーミングフレームを、無線通信ユニット１３２に送信することができる。
【０１７８】
いくつかの例示的な実施形態において、無線通信ユニット１０４は、Ｒｘセクタにおいて検出されたチャネル負荷のレポートを含む指向性測定レポートフレームを、無線通信ユニット１３２に送信することができる。指向性測定レポートフレームは、Ｒｘセクタに対応するＴｘセクタを示すフィールド４０２を含むＴｘセクタＩＥ４００を含み得る。
【０１７９】
いくつかの例示的な実施形態において、無線通信ユニット１３２は、ビームフォーミングフレームを受信して、例えば前述のレポートに基づいて、無線通信ユニット１０４とのビームフォーミングリンクを確立するためのチャネルを選択することができる。
【０１８０】
いくつかの例示的な実施形態において、無線通信ユニット１３２は、ＰＣＰ／ＡＰ  ＳＴＡの機能を実行することができ、無線通信ユニット１０４は、非ＰＣＰ／ＡＰ  ＳＴＡの機能を実行することができる。これらの実施形態に従うと、無線通信ユニット１３２は、無線通信ユニット１０４とのＢＦリンクを確立するために使用する周波数チャネルを選択することができ、選択された周波数チャネルに切り替えて選択されたＴｘセクタを使用するよう、無線通信ユニット１０４に指示することができる。
【０１８１】
次に図５を参照すると、図５は、いくつかの例示的な実施形態に従った、第１の無線通信デバイス５０４と第２の無線通信デバイス５０８との間の第１の指向性ビームフォーミングリンク５０５と、第１のチャネル上の第２のビームフォーミングリンク５０９と、の間の関係を概略的に示している。
【０１８２】
いくつかの例示的な実施形態において、デバイス５０４は、Ｄｏｃｋ  Ｙと表記されたドッキング局の機能を実行することができ、デバイス５０８は、ＳＴＡ  Ａと表記された局の機能を実行することができる。他の実施形態では、無線通信デバイス５０４及び／又は５０８は、任意の他の機能を実行してもよい。
【０１８３】
いくつかの例示的な実施形態において、無線通信デバイス５０４は、無線通信デバイス１０２（図１）の機能を実行することができ、且つ／あるいは、無線通信デバイス５０８は、システム１００（図１）の１以上の他の無線通信デバイス（例えば、無線通信デバイス１３０（図１））の機能を実行することができる。
【０１８４】
いくつかの例示的な実施形態において、ビームフォーミングリンク５０９は、ＳＴＡ  Ｂと表記されたＳＴＡ５０６とＤｏｃｋ  Ｘと表記されたＤｏｃｋ５０８との間のリンクを含み得る。図５に示されるように、ビームフォーミングリンク５０５のパスは、ビームフォーミングリンク５０９のパスと重なり得る。したがって、リンク５０５は、リンク５０９と干渉し得る。
【０１８５】
いくつかの例示的な実施形態において、Ｄｏｃｋ  Ｙは、例えばディスカバリか否かといった任意のビーコンに対する、Ａ−ＢＦＴにおけるアクティブ走査応答をサポートするよう構成することができ、且つ／あるいは、ＳＴＡ  Ａは、ビーコンを送信することにより、ＤｏｃｋとのＰＢＳＳを確立するよう試みることができる。ＳＴＡ  Ａは、例えば、確立されたＰＢＳＳのＰＣＰになったときにも、ビーコンを送信することができる。
【０１８６】
いくつかの例示的な実施形態において、Ｄｏｃｋ  Ｙは、例えばテーブル４を参照して上述したように、例えば、Ｔｘセクタ＃により少なくとも１つのＲｘセクタ＃を識別することが可能になるように、ＲｘアンテナセクタとＴｘアンテナセクタとの間の関係を確立することができる。
【０１８７】
いくつかの例示的な実施形態において、Ｄｏｃｋ  Ｙは、例えば上述したように、Ｒｘセクタをスイープすることにより、複数の周波数チャネルを走査し、各方向のチャネル負荷を測定し、周波数チャネルごとのＲｘセクタ＃ごとの負荷のレポートを保持することができる。
【０１８８】
いくつかの例示的な実施形態において、Ｄｏｃｋ  Ｙは、第１のチャネル上に存在し得る。例えば、第１のチャネルは、６０ＧＨｚ周波数帯域のチャネル「２」を含み得る。
【０１８９】
いくつかの例示的な実施形態において、ＳＴＡ  Ａは、ディスカバリビーコンを送信することにより、Ｄｏｃｋ  Ｙとの接続を開始することができる。
【０１９０】
いくつかの例示的な実施形態において、Ｄｏｃｋ  ＹのＴｘセクタ（例えば、Ｔｘセクタ＃３）は、チャネル２においてＳＴＡ  Ａと通信するのに最良なものとして識別され得る。
【０１９１】
一例において、ＳＴＡ  Ａは、例えばビーコン送信間隔（ＢＴＩ）ＡＢＦＴプロシージャの一部として、Ｔｘセクタ＃３を含む最良の受信Ｔｘセクタ＃のインジケーションを、Ｄｏｃｋ  Ｙに提供することができる。
【０１９２】
いくつかの例示的な実施形態において、Ｄｏｃｋ  Ｙは、例えばテーブル４に基づいて、選択されたＴｘセクタに対応するＲｘセクタを識別することができ、識別されたＲｘセクタに対応するチャネル負荷レポートを判別することができる。
【０１９３】
いくつかの例示的な実施形態において、Ｄｏｃｋ  Ｙは、例えば、Ｄｏｃｋ  Ｙが、Ｒｘセクタのスイープを以前に実行していた場合、Ｄｏｃｋ  Ｙは、識別されたＲｘセクタに対応するチャネル負荷レポートを取得することができる。
【０１９４】
他の例示的な実施形態において、Ｄｏｃｋ  Ｙは、例えば、選択されたＴｘセクタのインジケーションを受信した後に、識別されたＲｘセクタを走査することにより、Ｔｘセクタに対応するＲｘセクタに関するチャネル負荷を判定することができる。例えば、これらの実施形態に従うと、Ｄｏｃｋ  Ｙは、比較的長い時間期間の間、全方向モード（omni  mode）で動作することができる（例えば、できるだけ早くＳＴＡとの接続を確立するための準備ができている）。
【０１９５】
いくつかの例示的な実施形態において、Ｄｏｃｋ  Ｙは、ユニキャストＲＡを伴うディスカバリビーコンを受信した後のユーザ介入（例えば、ＧＯネゴシエーション）の時間中に、セクタＲｘを走査することができる。
【０１９６】
いくつかの例示的な実施形態において、Ｄｏｃｋ  Ｙは、テーブル４に従って、選択されたＴｘセクタ＃３がＲｘセクタ＃に対応すると判定することができる。
【０１９７】
いくつかの例示的な実施形態において、Ｄｏｃｋ  Ｙは、チャネル２におけるＲｘセクタ＃３に対する指向性測定を実行することができる。例えば、Ｄｏｃｋ  Ｙは、比較的長い時間の間（例えば、複数のビーコン間隔（ＢＩ）の間）、チャネル２における指向性測定を実行することができる。
【０１９８】
いくつかの例示的な実施形態において、Ｄｏｃｋ  Ｙは、Ｒｘセクタ＃３の方向のチャネル２におけるチャネル負荷が比較的高い（例えば、約５５％である）と判定することができる。
【０１９９】
いくつかの例示的な実施形態において、Ｒｘセクタ＃３の方向のチャネル２におけるチャネル負荷は、例えば、ＳＴＡ  ＢとＤｏｃｋ  Ｘとの間のビームフォーミングリンク５０９を介した通信に起因して、比較的高いものであり得る。
【０２００】
いくつかの例示的な実施形態において、Ｄｏｃｋ  Ｙは、例えば以下で説明するように、１以上の他のチャネルにおけるＲｘセクタ＃３の方向のチャネル負荷を測定することができる。
【０２０１】
図６を参照すると、図６は、いくつかの例示的な実施形態に従った、指向性ビームフォーミングリンク５０５と、第２のチャネル上の第３のビームフォーミングリンク５１１と、の間の関係を概略的に示している。
【０２０２】
いくつかの例示的な実施形態において、ビームフォーミングリンク５１１は、ＳＴＡ  Ｃと表記されたＳＴＡ５１０とＤｏｃｋ  Ｚと表記されたＤｏｃｋ５１２との間の第２のチャネル上のリンクを含み得る。図６に示されるように、ビームフォーミングリンク５０５のパスは、ビームフォーミングリンク５１１のパスと重なり得る。したがって、リンク５０５は、第２のチャネル上のリンク５１１と干渉し得る。
【０２０３】
いくつかの例示的な実施形態において、第２のチャネルは、６０ＧＨｚ周波数帯域のチャネル「３」を含み得る。
【０２０４】
いくつかの例示的な実施形態において、Ｄｏｃｋ  Ｙは、チャネル３におけるＲｘセクタ＃３に対する指向性測定を実行することができる。例えば、Ｄｏｃｋ  Ｙは、比較的長い時間の間（例えば、複数のＢＩの間）、チャネル３における指向性測定を実行することができる。
【０２０５】
いくつかの例示的な実施形態において、Ｄｏｃｋ  Ｙは、Ｒｘセクタ＃３の方向のチャネル３におけるチャネル負荷が比較的高い（例えば、約４５％である）と判定することができる。
【０２０６】
いくつかの例示的な実施形態において、Ｒｘセクタ＃３の方向のチャネル３におけるチャネル負荷は、例えば、ＳＴＡ  ＣとＤｏｃｋ  Ｚとの間のビームフォーミングリンク５１１を介した通信に起因して、比較的高いものであり得る。
【０２０７】
図７を参照すると、図７は、いくつかの例示的な実施形態に従った、指向性ビームフォーミングリンク５０５と、第３のチャネル上の第４のビームフォーミングリンク５１３と、の間の関係を概略的に示している。
【０２０８】
いくつかの例示的な実施形態において、ビームフォーミングリンク５１３は、ＳＴＡ  Ｄと表記されたＳＴＡ５１４とＤｏｃｋ  Ｗと表記されたＤｏｃｋ５１６との間の第３のチャネル上のリンクを含み得る。図７に示されるように、ビームフォーミングリンク５０５のパスは、ビームフォーミングリンク５１３のパスと重なっていない。したがって、リンク５０５は、第３のチャネル上のリンク５１３と干渉し得ない。
【０２０９】
いくつかの例示的な実施形態において、第３のチャネルは、６０ＧＨｚ周波数帯域のチャネル「１」を含み得る。
【０２１０】
いくつかの例示的な実施形態において、Ｄｏｃｋ  Ｙは、チャネル１におけるＲｘセクタ＃３に対する指向性測定を実行することができる。例えば、Ｄｏｃｋ  Ｙは、比較的長い時間の間（例えば、複数のＢＩの間）、チャネル１における指向性測定を実行することができる。
【０２１１】
いくつかの例示的な実施形態において、Ｄｏｃｋ  Ｙは、Ｒｘセクタ＃３の方向のチャネル１におけるチャネル負荷が比較的低い（例えば、約１％である）と判定することができる。
【０２１２】
いくつかの例示的な実施形態において、Ｒｘセクタ＃３の方向のチャネル１におけるチャネル負荷は、例えば、ＳＴＡ  ＤとＤｏｃｋ  Ｗとの間のビームフォーミングリンク５１３を介した通信が、Ｄｏｃｋ  ＹのＲｘセクタ＃３の方向には生じ得ないので、比較的低いものであり得る。
【０２１３】
いくつかの例示的な実施形態において、Ｄｏｃｋ  Ｙは、Ｒｘセクタ＃３の方向のチャネル負荷の測定結果を含むレポートを、例えば以下のように、例えばテーブルの形態で、生成することができる。
【表５】
0006273361.tif 000006
【０２１４】
いくつかの例示的な実施形態において、Ｄｏｃｋ  Ｙは、例えばテーブル５に従った、Ｒｘセクタ＃３を介するチャネル負荷の測定結果のレポートを含むＢＦフレーム（例えば、指向性測定レポートフレーム）を、ＳＴＡ  Ａに送信することができる。
【０２１５】
いくつかの例示的な実施形態において、測定レポートを含むＢＦフレームは、チャネル負荷を測定するために使用されたＲｘセクタに対応する選択されたＴｘセクタのインジケーションを含むＴｘセクタＩＥを含み得る。例えば、指向性測定レポートは、選択されたＴｘセクタ＃を示すフィールド４０２（図４）を含むＴｘセクタＩＥ４００（図４）を含み得る。
【０２１６】
いくつかの例示的な実施形態において、ＳＴＡ  Ａは、例えばチャネル負荷レポートに基づいて、ビームフォーミングリンク５０５を確立するためのチャネルを選択することができる。
【０２１７】
例えば、ＳＴＡ  Ａは、Ｒｘセクタ＃３ごとの異なる周波数チャネルのチャネル負荷測定結果を比較して、ビームリンク５０５を確立するための最良のチャネルを識別することができる。例えば、ＳＴＡ  Ａは、チャネル２及び３と比較して最小のチャネル負荷を有するチャネル１を選択することができる。
【０２１８】
いくつかの例示的な実施形態において、ＳＴＡ  Ａは、選択されたチャネルに切り替えるよう、Ｄｏｃｋ  Ｙに要求することができる。
【０２１９】
いくつかの例示的な実施形態において、ＳＴＡ  Ａは、ＢＦリンク５０５を介して送信するためにＤｏｃｋ  Ｙにより使用される選択されたＴｘセクタのインジケーションを含むＴｘセクタＩＥを含むフレーム（例えば、拡張チャネル切り替え通知フレーム（extended  channel  switch  announcement  frame）を、Ｄｏｃｋ  Ｙに送信することができる。例えば、拡張チャネル切り替え通知フレームは、選択されたＴｘセクタ＃を示すとともに、ＢＦリンク５０５を介してＳＴＡ  Ａと通信するために、チャネル１に切り替えてＴｘセクタ＃３を使用するよう、Ｄｏｃｋ  Ｙに指示するフィールド４０２（図４）を含むＴｘセクタＩＥ４００（図４）を含み得る。
【０２２０】
いくつかの例示的な実施形態において、Ｄｏｃｋ  Ｙ及びＳＴＡ  Ａの両方は、ＢＦリンク５０５を介して通信するために、チャネル１に切り替えることができる。
【０２２１】
図８を参照すると、図８は、いくつかの例示的な実施形態に従った、無線通信ビームフォーミングの方法を概略的に示している。
【０２２２】
いくつかの例示的な実施形態において、図８の方法の動作のうちの１以上の動作は、例えばシステム１００（図１）といったシステムの１以上の要素、例えば無線通信デバイス１０２、１３０、及び／又は１６０（図１）といった無線通信デバイスの１以上の要素、及び／又は、例えば無線通信ユニット１０４、１３２、及び／又は１６２（図１）といった無線通信ユニットにより実行することができる。
【０２２３】
ブロック８０２に示されるように、方法は、無線通信デバイスの複数のＴｘセクタと第１の複数の局のＴｘセクタとを関連付ける第１のＢＦ情報を定めることを含み得る。例えば、無線通信ユニット１０４（図１）は、例えば上述したように、例えば、無線通信ユニット１０４（図１）と第１の複数の局との間のビームフォーミングトレーニングに基づいて、テーブル１の第１のＢＦ情報を定めることができる。
【０２２４】
ブロック８０４に示されるように、方法は、第２の複数の局のＴｘセクタと第３の複数の局のＴｘセクタとを関連付ける第２のＢＦ情報を定めることを含み得る。
【０２２５】
ブロック８０６に示されるように、第２のＢＦ情報を定めることは、第２の複数の局と第３の複数の局との間で通信されたビームフォーミングフレームに基づいて、第２のＢＦ情報を定めることを含み得る。例えば、無線通信ユニット１０４（図１）は、上述したように、例えばビームフォーミングフレームに基づいて（例えば、無線通信ユニット１３２（図１）と無線通信ユニット１６２（図１）との間で通信されたＳＳＷフレームのＳＳＷフィードバックフィールド３００（図３）に基づいて）、無線通信ユニット１３２（図１）のＴｘセクタと無線通信ユニット１６２（図１）のＴｘセクタとを関連付ける第２のＢＦ情報を定めることができる。
【０２２６】
ブロック８０８に示されるように、方法は、第１のＢＦ情報及び第２のＢＦ情報に基づいて、無線通信デバイスのＴｘセクタを介するチャネル上のＢＦリンクが、そのチャネル上の他のＢＦリンクと干渉する可能性があり得るかどうかを判定することを含み得る。例えば、無線通信ユニット１０４（図１）は、例えば上述したように、無線通信ユニット１０４（図１）のＴｘセクタを介するチャネル上のＢＦリンクが、無線通信ユニット１３２（図１）と無線通信ユニット１６２（図１）との間の同じチャネル上のＢＦリンクと干渉し得るかどうかを判定することができる。
【０２２７】
ブロック８１０に示されるように、方法は、選択されたチャネル上でＴｘセクタを用いてＢＦリンクを確立することを含み得る。例えば、無線通信ユニット１０４（図１）は、例えば上述したように、ＢＦリンクが他のＢＦリンクと干渉しないチャネル上でＴｘセクタを用いてＢＦリンクを確立することができる。
【０２２８】
図９を参照すると、図９は、いくつかの例示的な実施形態に従った、無線通信ビームフォーミングの方法を概略的に示している。
【０２２９】
いくつかの例示的な実施形態において、図９の方法の動作のうちの１以上の動作は、例えばシステム１００（図１）といったシステムの１以上の要素、例えば無線通信デバイス１０２、１３０、及び／又は１６０（図１）といった無線通信デバイスの１以上の要素、及び／又は、例えば無線通信ユニット１０４、１３２、及び／又は１６２（図１）といった無線通信ユニットにより実行することができる。
【０２３０】
ブロック９０２に示されるように、方法は、ＢＦリンクを確立するための、無線通信デバイスの選択されるＴｘセクタを決定することを含み得る。例えば、無線通信ユニット１０４（図１）は、ＢＦリンクを確立するために無線通信ユニット１０４（図１）により使用される選択されたＴｘセクタのインジケーションを受信することができる。
【０２３１】
ブロック９０４に示されるように、方法は、選択されたＴｘセクタに対応する、無線通信デバイスの少なくとも１つのＲｘセクタを判別することを含み得る。例えば、無線通信ユニット１０４（図１）は、例えば上述したように、例えばテーブル４といった適合性テーブルに基づいて、Ｒｘセクタを識別することができる。
【０２３２】
ブロック９０６に示されるように、方法は、Ｒｘセクタを介する複数のチャネル上のチャネル負荷を判定することを含み得る。例えば、無線通信ユニット１０４（図１）は、例えば上述したように、Ｒｘセクタを介する複数のチャネルを走査して、複数のチャネル上の複数のチャネル負荷を判定することができる。
【０２３３】
ブロック９０８に示されるように、方法は、複数のチャネル負荷と選択されたＴｘセクタのインジケーションとを含む測定レポートを送信することを含み得る。例えば、無線通信ユニット１０４（図１）は、例えば上述したように、Ｒｘセクタを介するチャネル負荷の測定結果と選択されたＴｘセクタを識別するＴｘセクタＩＥ４００（図４）とを含む指向性測定レポートを送信することができる。
【０２３４】
ブロック９１０に示されるように、方法は、選択されたチャネル上でＴｘセクタを用いてＢＦリンクを確立することを含み得る。例えば、無線通信ユニット１０４（図１）は、例えば上述したように、低チャネル負荷（例えば、最小のチャネル負荷）を有するチャネル上でＴｘセクタを用いてＢＦリンクを確立することができる。
【０２３５】
図１０を参照すると、図１０は、いくつかの例示的な実施形態に従った製品１０００を概略的に示している。製品１０００は、ロジック１００４を記憶する非一時的なマシン読み取り可能な記憶媒体１００２を含み得る。ロジック１００４は、例えば、デバイス１０２（図１）、デバイス１３０（図１）、デバイス１６０（図１）、無線通信ユニット１０４（図１）、無線通信ユニット１６２（図１）、無線通信ユニット１３２（図１）の少なくとも一部の機能を実行するために、且つ／あるいは、図８及び／又は図９の方法の１以上の動作を実行するために、使用され得る。用語「非一時的なマシン読み取り可能な媒体」は、一時的な伝搬信号の唯一の例外を除く全てのコンピュータ読み取り可能な媒体を含むよう意図されている。
【０２３６】
いくつかの例示的な実施形態において、製品１０００及び／又はマシン読み取り可能な記憶媒体１００２は、データを記憶することができる１以上のタイプのコンピュータ読み取り可能な記憶媒体を含み得、揮発性メモリ、不揮発性メモリ、着脱可能なメモリ、着脱不可能なメモリ、消去可能なメモリ、消去不可能なメモリ、書き込み可能なメモリ、再書き込み可能なメモリ等を含む。例えば、マシン読み取り可能な記憶媒体１００２は、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラム可能なＲＯＭ（ＰＲＯＭ）、消去可能なプログラム可能なＲＯＭ（ＥＰＲＯＭ）、電気的に消去可能なプログラム可能なＲＯＭ（ＥＥＰＲＯＭ）、コンパクトディスクＲＯＭ（ＣＤ−ＲＯＭ）、コンパクトディスクレコーダブル（ＣＤ−Ｒ）、コンパクトディスクリライタブル（ＣＤ−ＲＷ）、フラッシュメモリ（例えば、ＮＯＲ型フラッシュメモリ又はＮＡＮＤ型フラッシュメモリ）、コンテンツアドレッサブルメモリ（ＣＡＭ；content  addressable  memory）、高分子メモリ、相変化メモリ、強誘電性メモリ、ＳＯＮＯＳ（silicon-oxide-nitride-oxide-silicon）メモリ、ディスク、フロッピディスク、ハードドライブ、光ディスク、磁気ディスク、カード、磁気カード、光カード、テープ、カセット等を含み得る。コンピュータ読み取り可能な記憶媒体は、例えばモデム接続、無線接続、又はネットワーク接続等の通信リンクを介する搬送波又は他の伝搬媒体内に具現化されたデータ信号により搬送されるコンピュータプログラムを、リモートコンピュータから要求元コンピュータにダウンロード又は転送することに関わる任意の適切な媒体を含み得る。
【０２３７】
いくつかの例示的な実施形態において、ロジック１００４は、マシンにより実行された場合にマシンに本明細書で説明した方法、処理、及び／又は動作を実行させることができる命令、データ、及び／又はコードを含み得る。マシンは、例えば、任意の適切な処理プラットフォーム、コンピューティングプラットフォーム、コンピューティングデバイス、処理デバイス、コンピューティングシステム、処理システム、コンピュータ、プロセッサ等を含み得、ハードウェア、ソフトウェア、ファームウェア等の任意の適切な組合せを用いて実装され得る。
【０２３８】
いくつかの例示的な実施形態において、ロジック１００４は、ソフトウェア、ソフトウェアモジュール、アプリケーション、プログラム、サブルーチン、命令、命令セット、計算コード、ワード、値、シンボル等を含み得る、あるいは、これらとして実装され得る。命令は、任意の適切なタイプのコードを含み得る。そのようなコードは、ソースコード、コンパイル済みコード、解釈済みコード、実行可能なコード、静的コード、動的コード等である。命令は、所定の機能を実行するようプロセッサに指示するために、所定のコンピュータ言語、方式、又はシンタックスに従って実装され得る。命令は、任意の適切な高水準プログラミング言語、低水準プログラミング言語、オブジェクト指向プログラミング言語、ビジュアルプログラミング言語、コンパイル型プログラミング言語、及び／又は解釈型プログラミング言語を用いて実装され得る。そのようなプログラミング言語は、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ（登録商標）、アセンブリ言語、マシンコード等である。
【０２３９】
例
以下の例は、さらなる実施形態に関連する。
【０２４０】
例１は、ビームフォーミングイニシエータ局とビームフォーミングレスポンダ局との間で通信されるビームフォーミングフレームを、ビームフォーミングイニシエータ局による送信（Ｔｘ）セクタスイープの後に処理する無線通信ユニットであって、ビームフォーミングフレームは、ビームフォーミングイニシエータ局又はビームフォーミングレスポンダ局の第１の局から、ビームフォーミングイニシエータ局又はビームフォーミングレスポンダ局の第２の局に送信され、ビームフォーミングフレームは、指向性ビームフォーミング伝送を第２の局に送信するために第１の局により使用される、Ｔｘセクタスイープに基づく選択されたＴｘセクタのインジケーションを含む、無線通信ユニット、を備える装置を含む。
【０２４１】
例２は、例１の主題を含み、任意的に、ビームフォーミングフレームは、第１の局の受信（Ｒｘ）セクタに対応する測定結果のレポートを含む。
【０２４２】
例３は、例２の主題を含み、任意的に、Ｒｘセクタは、Ｔｘセクタのビーム指向性に対応するビーム指向性を有する。
【０２４３】
例４は、例３の主題を含み、任意的に、Ｒｘセクタは、Ｔｘセクタと相互的である。
【０２４４】
例５は、例２〜４のうちのいずれかの主題を含み、任意的に、無線通信ユニットは、複数のＴｘセクタと複数のＲｘセクタとを関連付けるＴｘ−Ｒｘ情報を保持し、選択されたＴｘセクタに関連付けられたＲｘセクタを含むＲｘセクタを選択する。
【０２４５】
例６は、例５の主題を含み、任意的に、レポートは、複数のチャネルに対応する複数のチャネル負荷を含む。
【０２４６】
例７は、例６の主題を含み、任意的に、無線通信ユニットは、ビームフォーミングレスポンダ局の機能を実行し、無線通信ユニットは、ビームフォーミングイニシエータ局から選択されたＴｘセクタを受信し、選択されたＴｘセクタに基づいてＲｘセクタを判別し、Ｒｘセクタに対応するチャネル負荷を判定し、レポートを含むビームフォーミングフレームをビームフォーミングイニシエータ局に送信する。
【０２４７】
例８は、例７の主題を含み、任意的に、無線通信ユニットは、ビームフォーミングレスポンダ局のアドレスと、選択されたＴｘセクタのインジケーションと、を含むユニキャスト受信アドレス（ＲＡ）を伴うディスカバリビーコンを受信し、無線通信ユニットは、ディスカバリビーコンの受信後の時間期間中に負荷を測定する。
【０２４８】
例９は、例６の主題を含み、任意的に、無線通信ユニットは、ビームフォーミングイニシエータ局の機能を実行し、無線通信ユニットは、ビームフォーミングレスポンダ局からビームフォーミングフレームを受信し、複数のチャネル負荷に基づいて、指向性ビームフォーミング伝送のために使用されるチャネルを選択する。
【０２４９】
例１０は、例２〜９のうちのいずれかの主題を含み、任意的に、ビームフォーミングフレームは、Ｒｘセクタの方向のインジケーションと、Ｔｘセクタ情報要素（ＩＥ）と、を含む指向性測定レポートフレームを含み、ＴｘセクタＩＥは、Ｔｘセクタのインジケーションを含む。
【０２５０】
例１１は、例１の主題を含み、任意的に、ビームフォーミングフレームは、セクタスイープ（ＳＳＷ）フィードバックフィールドを含むＳＳＷフレームを含み、ＳＳＷフィードバックフィールドは、Ｔｘセクタのインジケーションを含む。
【０２５１】
例１２は、例１１の主題を含み、任意的に、無線通信ユニットは、ビームフォーミングフレームを受信する第３の局の機能を実行し、無線通信ユニットは、ビームフォーミングフレームに基づいて、第３の局により使用される指向性ビームフォーミングスキームを決定する。
【０２５２】
例１３は、例１２の主題を含み、任意的に、無線通信ユニットは、第１の局のＴｘセクタを用いる通信チャネルを介する通信のために第１の局及び第２の局が接続されていることを検出し、無線通信ユニットは、第１の局のＴｘセクタに向けられた、第３の局のＴｘセクタを用いるチャネルを介する通信を回避する。
【０２５３】
例１４は、例１３の主題を含み、任意的に、無線通信ユニットは、第３の局のＴｘセクタと第１の複数の局のＴｘセクタとを関連付ける第１のＢＦ情報を定め、第２の複数の局と第３の複数の局との間で通信されたＳＳＷフィードバックフレームのＳＳＷフィードバックフィールドに基づいて、第２の複数の局のＴｘセクタと第３の複数の局のＴｘセクタとを関連付ける第２のＢＦ情報を定める。
【０２５４】
例１５は、例１４の主題を含み、任意的に、無線通信ユニットは、第２の複数の局のうち第１の接続されている局と第３の複数の局のうち第２の接続されている局との間の接続を検出し、第２のＢＦ情報に基づいて、第１の接続されている局の接続されているＴｘセクタを判別し、第１のＢＦ情報に基づいて、接続されているＴｘセクタに関連付けられた、第３の局のＴｘセクタを検出する。
【０２５５】
例１６は、例１の主題を含み、任意的に、無線通信ユニットは、第１の局の機能を実行し、無線通信ユニットは、指向性ビームフォーミング伝送を第２の局に送信するために無線通信ユニットにより使用されるＴｘセクタのインジケーションを含むビームフォーミングフレームを送信する。
【０２５６】
例１７は、例１の主題を含み、任意的に、無線通信ユニットは、第１の局からビームフォーミングフレームを受信する。
【０２５７】
例１８は、例１７の主題を含み、任意的に、無線通信ユニットは、第２の局の機能を実行するものである。
【０２５８】
例１９は、例１〜１８のうちのいずれかの主題を含み、任意的に、無線通信ユニットは、ミリメートル波（ｍｍＷａｖｅ）無線通信帯域上でビームフォーミングフレームを通信する。
【０２５９】
例２０は、局の送信（Ｔｘ）セクタを介してセクタスイープ（ＳＳＷ）フレームを送信する局であって、ＳＳＷフレームは、ＳＳＷフィードバックフィールドを含み、ＳＳＷフィードバックフィールドは、Ｔｘセクタのインジケーションを含む、局、を備える装置を含む。
【０２６０】
例２１は、例２０の主題を含み、任意的に、局は、ビームフォーミングレスポンダの機能を実行するものである。
【０２６１】
例２２は、例２０の主題を含み、任意的に、ＳＳＷフレームは、ＳＳＷアクノレッジメント（ＡＣＫ）フレームを含む。
【０２６２】
例２３は、例２０〜２２のうちのいずれかの主題を含み、任意的に、局は、ビームフォーミングイニシエータによるＴｘセクタスイープの後にＳＳＷフレームを送信する。
【０２６３】
例２４は、例２０〜２３のうちのいずれかの主題を含み、任意的に、局は、ミリメートル波（ｍｍＷａｖｅ）無線通信帯域上でＳＳＷフレームを送信する。
【０２６４】
例２５は、第２の局から第１のチャネルを介して第３の局に送信されたビームフォーミングフレームを受信する第１の局であって、ビームフォーミングフレームは、フレームを送信するための、第２の局の送信（Ｔｘ）セクタのインジケーションを含み、Ｔｘセクタのインジケーションに基づいて、第１の局は、第１の局のＴｘセクタを介して通信するために、第１のチャネルとは異なる第２のチャネルを決定する、第１の局、を備える装置を含む。
【０２６５】
例２６は、例２５の主題を含み、任意的に、第１の局は、第１の局の複数のＴｘセクタと第１の複数の局のＴｘセクタとを関連付ける第１のＢＦ情報を定め、第２の複数の局と第３の複数の局との間で通信されたビームフォーミングフレームに基づいて、第２の複数の局のＴｘセクタと第３の複数の局のＴｘセクタとを関連付ける第２のＢＦ情報を定める。
【０２６６】
例２７は、例２６の主題を含み、任意的に、第１の局は、第１の局の複数のＴｘセクタのＴｘセクタ識別子のリストの形態で、第１のＢＦ情報を保持し、Ｔｘ識別子は、第１の複数の局のうちの局のアドレスと、第１の複数の局のうちのこの局のＴｘセクタのＴｘセクタ識別子と、に関連付けられる。
【０２６７】
例２８は、例２６又は２７の主題を含み、任意的に、第１の局は、第３の複数の局の局アドレスのリストの形態で、第２のＢＦ情報を保持し、第３の複数の局のうちの局のアドレスは、第２の複数の局のうちの局のアドレスと、第２の複数の局のうちのこの局のＴｘセクタのＴｘセクタ識別子と、に関連付けられる。
【０２６８】
例２９は、例２６〜２８のうちのいずれかの主題を含み、任意的に、第１の複数の局は、第２の局を含み、第２の複数の局は、第３の局を含み、第３の複数の局は、第２の局を含む。
【０２６９】
例３０は、例２６〜２９のうちのいずれかの主題を含み、任意的に、第１の局は、第２の局と第３の局との間の接続を検出し、第２のＢＦ情報に基づいて第２の局のＴｘセクタを判別し、第２の局のＴｘセクタ及び第１のＢＦ情報に基づいて第１の局のＴｘセクタを検出する。
【０２７０】
例３１は、例２５〜３０のうちのいずれかの主題を含み、任意的に、第１の局が、第２の局のＴｘセクタを用いる第１のチャネルを介する通信のために第２の局及び第３の局が接続されていることを検出した場合、第１の局は、第１の局のＴｘセクタを用いる第１のチャネルを介する通信を回避する。
【０２７１】
例３２は、例２５〜３１のうちのいずれかの主題を含み、任意的に、第１の局のＴｘセクタは、第２の局のＴｘセクタの方向に向けられている。
【０２７２】
例３３は、例２５〜３２のうちのいずれかの主題を含み、任意的に、ビームフォーミングフレームは、セクタスイープ（ＳＳＷ）フィードバックフィールドを含むＳＳＷフレームを含み、ＳＳＷフィードバックフィールドは、第２の局のＴｘセクタのインジケーションを含む。
【０２７３】
例３４は、例２５〜３３のうちのいずれかの主題を含み、任意的に、第１の局は、ドッキング局を含む。
【０２７４】
例３５は、第１の局の受信（Ｒｘ）セクタに対応する測定結果のレポートと、指向性ビームフォーミング伝送を第２の局に送信するために第１の局により使用される送信（Ｔｘ）セクタのインジケーションと、を含むビームフォーミングフレームを第２の局に送信する第１の局、を備える装置を含む。
【０２７５】
例３６は、例３５の主題を含み、任意的に、Ｒｘセクタは、Ｔｘセクタのビーム指向性に対応するビーム指向性を有する。
【０２７６】
例３７は、例３６の主題を含み、任意的に、Ｒｘセクタは、Ｔｘセクタと相互的である。
【０２７７】
例３８は、例３５〜３７のうちのいずれかの主題を含み、任意的に、第１の局は、第１の局の複数のＴｘセクタと第１の局の複数のＲｘセクタとを関連付けるＴｘ−Ｒｘ情報を保持し、Ｔｘセクタに関連付けられたＲｘセクタを含むＲｘセクタを選択する。
【０２７８】
例３９は、例３５〜３８のうちのいずれかの主題を含み、任意的に、レポートは、複数のチャネルに対応する複数のチャネル負荷を含む。
【０２７９】
例４０は、例３９の主題を含み、任意的に、第１の局は、第２の局からＴｘセクタのインジケーションを受信し、Ｔｘセクタに基づいてＲｘセクタを判別し、Ｒｘセクタに対応するチャネル負荷を判定する。
【０２８０】
例４１は、例４０の主題を含み、任意的に、第１の局は、第２の局のアドレスと、Ｔｘセクタのインジケーションと、を含むユニキャスト受信アドレス（ＲＡ）を伴うディスカバリビーコンを受信し、第１の局は、ディスカバリビーコンの受信後の時間期間中に負荷を測定する。
【０２８１】
例４２は、例３５〜４１のうちのいずれかの主題を含み、任意的に、ビームフォーミングフレームは、Ｒｘセクタの方向のインジケーションと、Ｔｘセクタ情報要素（ＩＥ）と、を含む指向性測定レポートフレームを含み、ＴｘセクタＩＥは、Ｔｘセクタのインジケーションを含む。
【０２８２】
例４３は、例３５〜４２のうちのいずれかの主題を含み、任意的に、第１の局は、ビームフォーミングレスポンダの機能を実行するものである。
【０２８３】
例４４は、１以上のアンテナと、ビームフォーミングイニシエータ局とビームフォーミングレスポンダ局との間で通信されるビームフォーミングフレームを、ビームフォーミングイニシエータ局による送信（Ｔｘ）セクタスイープの後に処理する無線通信ユニットであって、ビームフォーミングフレームは、ビームフォーミングイニシエータ局又はビームフォーミングレスポンダ局の第１の局から、ビームフォーミングイニシエータ局又はビームフォーミングレスポンダ局の第２の局に送信され、ビームフォーミングフレームは、指向性ビームフォーミング伝送を第２の局に送信するために第１の局により使用される、Ｔｘセクタスイープに基づく選択されたＴｘセクタのインジケーションを含む、無線通信ユニットと、を含む少なくとも１つの無線通信デバイスを有するシステムを含む。
【０２８４】
例４５は、例４４の主題を含み、任意的に、ビームフォーミングフレームは、第１の局の受信（Ｒｘ）セクタに対応する測定結果のレポートを含む。
【０２８５】
例４６は、例４５の主題を含み、任意的に、Ｒｘセクタは、Ｔｘセクタのビーム指向性に対応するビーム指向性を有する。
【０２８６】
例４７は、例４６の主題を含み、任意的に、Ｒｘセクタは、Ｔｘセクタと相互的である。
【０２８７】
例４８は、例４５〜４７のうちのいずれかの主題を含み、任意的に、無線通信ユニットは、複数のＴｘセクタと複数のＲｘセクタとを関連付けるＴｘ−Ｒｘ情報を保持し、選択されたＴｘセクタに関連付けられたＲｘセクタを含むＲｘセクタを選択する。
【０２８８】
例４９は、例４８の主題を含み、任意的に、レポートは、複数のチャネルに対応する複数のチャネル負荷を含む。
【０２８９】
例５０は、例４９の主題を含み、任意的に、無線通信ユニットは、ビームフォーミングレスポンダ局の機能を実行し、無線通信ユニットは、ビームフォーミングイニシエータ局から選択されたＴｘセクタを受信し、選択されたＴｘセクタに基づいてＲｘセクタを判別し、Ｒｘセクタに対応するチャネル負荷を判定し、レポートを含むビームフォーミングフレームをビームフォーミングイニシエータ局に送信する。
【０２９０】
例５１は、例５０の主題を含み、任意的に、無線通信ユニットは、ビームフォーミングレスポンダ局のアドレスと、選択されたＴｘセクタのインジケーションと、を含むユニキャスト受信アドレス（ＲＡ）を伴うディスカバリビーコンを受信し、無線通信ユニットは、ディスカバリビーコンの受信後の時間期間中に負荷を測定する。
【０２９１】
例５２は、例４９の主題を含み、任意的に、無線通信ユニットは、ビームフォーミングイニシエータ局の機能を実行し、無線通信ユニットは、ビームフォーミングレスポンダ局からビームフォーミングフレームを受信し、複数のチャネル負荷に基づいて、指向性ビームフォーミング伝送のために使用されるチャネルを選択する。
【０２９２】
例５３は、例４５〜５２のうちのいずれかの主題を含み、任意的に、ビームフォーミングフレームは、Ｒｘセクタの方向のインジケーションと、Ｔｘセクタ情報要素（ＩＥ）と、を含む指向性測定レポートフレームを含み、ＴｘセクタＩＥは、Ｔｘセクタのインジケーションを含む。
【０２９３】
例５４は、例４４の主題を含み、任意的に、ビームフォーミングフレームは、セクタスイープ（ＳＳＷ）フィードバックフィールドを含むＳＳＷフレームを含み、ＳＳＷフィードバックフィールドは、Ｔｘセクタのインジケーションを含む。
【０２９４】
例５５は、例５４の主題を含み、任意的に、無線通信ユニットは、ビームフォーミングフレームを受信する第３の局の機能を実行し、無線通信ユニットは、ビームフォーミングフレームに基づいて、第３の局により使用される指向性ビームフォーミングスキームを決定する。
【０２９５】
例５６は、例５５の主題を含み、任意的に、無線通信ユニットは、第１の局のＴｘセクタを用いる通信チャネルを介する通信のために第１の局及び第２の局が接続されていることを検出し、無線通信ユニットは、第１の局のＴｘセクタに向けられた、第３の局のＴｘセクタを用いるチャネルを介する通信を回避する。
【０２９６】
例５７は、例５６の主題を含み、任意的に、無線通信ユニットは、第３の局のＴｘセクタと第１の複数の局のＴｘセクタとを関連付ける第１のＢＦ情報を定め、第２の複数の局と第３の複数の局との間で通信されたＳＳＷフィードバックフレームのＳＳＷフィードバックフィールドに基づいて、第２の複数の局のＴｘセクタと第３の複数の局のＴｘセクタとを関連付ける第２のＢＦ情報を定める。
【０２９７】
例５８は、例５７の主題を含み、任意的に、無線通信ユニットは、第２の複数の局のうち第１の接続されている局と第３の複数の局のうち第２の接続されている局との間の接続を検出し、第２のＢＦ情報に基づいて、第１の接続されている局の接続されているＴｘセクタを判別し、第１のＢＦ情報に基づいて、接続されているＴｘセクタに関連付けられた、第３の局のＴｘセクタを検出する。
【０２９８】
例５９は、例４４の主題を含み、任意的に、無線通信ユニットは、第１の局の機能を実行し、無線通信ユニットは、指向性ビームフォーミング伝送を第２の局に送信するために無線通信ユニットにより使用されるＴｘセクタのインジケーションを含むビームフォーミングフレームを送信する。
【０２９９】
例６０は、例４４の主題を含み、任意的に、無線通信ユニットは、第１の局からビームフォーミングフレームを受信する。
【０３００】
例６１は、例６０の主題を含み、任意的に、無線通信ユニットは、第２の局の機能を実行するものである。
【０３０１】
例６２は、例４４〜６１のうちのいずれかの主題を含み、任意的に、無線通信ユニットは、ミリメートル波（ｍｍＷａｖｅ）無線通信帯域上でビームフォーミングフレームを通信する。
【０３０２】
例６３は、１以上のアンテナと、無線通信デバイスの送信（Ｔｘ）セクタを介してセクタスイープ（ＳＳＷ）フレームを送信する局であって、ＳＳＷフレームは、ＳＳＷフィードバックフィールドを含み、ＳＳＷフィードバックフィールドは、Ｔｘセクタのインジケーションを含む、局と、を含む少なくとも１つの無線通信デバイスを有するシステムを含む。
【０３０３】
例６４は、例６３の主題を含み、任意的に、局は、ビームフォーミングレスポンダの機能を実行するものである。
【０３０４】
例６５は、例６３の主題を含み、任意的に、ＳＳＷフレームは、ＳＳＷアクノレッジメント（ＡＣＫ）フレームを含む。
【０３０５】
例６６は、例６３〜６５のうちのいずれかの主題を含み、任意的に、局は、ビームフォーミングイニシエータによるＴｘセクタスイープの後にＳＳＷフレームを送信する。
【０３０６】
例６７は、例６３〜６６のうちのいずれかの主題を含み、任意的に、局は、ミリメートル波（ｍｍＷａｖｅ）無線通信帯域上でＳＳＷフレームを送信する。
【０３０７】
例６８は、１以上のアンテナと、第２の局から第１のチャネルを介して第３の局に送信されたビームフォーミングフレームを受信する第１の局であって、ビームフォーミングフレームは、フレームを送信するための、第２の局の送信（Ｔｘ）セクタのインジケーションを含み、Ｔｘセクタのインジケーションに基づいて、第１の局は、第１の局のＴｘセクタを介して通信するために、第１のチャネルとは異なる第２のチャネルを決定する、第１の局と、を含む少なくとも１つの無線通信デバイスを有するシステムを含む。
【０３０８】
例６９は、例６８の主題を含み、任意的に、第１の局は、第１の局の複数のＴｘセクタと第１の複数の局のＴｘセクタとを関連付ける第１のＢＦ情報を定め、第２の複数の局と第３の複数の局との間で通信されたビームフォーミングフレームに基づいて、第２の複数の局のＴｘセクタと第３の複数の局のＴｘセクタとを関連付ける第２のＢＦ情報を定める。
【０３０９】
例７０は、例６９の主題を含み、任意的に、第１の局は、第１の局の複数のＴｘセクタのＴｘセクタ識別子のリストの形態で、第１のＢＦ情報を保持し、Ｔｘ識別子は、第１の複数の局のうちの局のアドレスと、第１の複数の局のうちのこの局のＴｘセクタのＴｘセクタ識別子と、に関連付けられる。
【０３１０】
例７１は、例６９又は７０の主題を含み、任意的に、第１の局は、第３の複数の局の局アドレスのリストの形態で、第２のＢＦ情報を保持し、第３の複数の局のうちの局のアドレスは、第２の複数の局のうちの局のアドレスと、第２の複数の局のうちのこの局のＴｘセクタのＴｘセクタ識別子と、に関連付けられる。
【０３１１】
例７２は、例６９〜７１のうちのいずれかの主題を含み、任意的に、第１の複数の局は、第２の局を含み、第２の複数の局は、第３の局を含み、第３の複数の局は、第２の局を含む。
【０３１２】
例７３は、例６９〜７２のうちのいずれかの主題を含み、任意的に、第１の局は、第２の局と第３の局との間の接続を検出し、第２のＢＦ情報に基づいて第２の局のＴｘセクタを判別し、第２の局のＴｘセクタ及び第１のＢＦ情報に基づいて第１の局のＴｘセクタを検出する。
【０３１３】
例７４は、例６８〜７３のうちのいずれかの主題を含み、任意的に、第１の局が、第２の局のＴｘセクタを用いる第１のチャネルを介する通信のために第２の局及び第３の局が接続されていることを検出した場合、第１の局は、第１の局のＴｘセクタを用いる第１のチャネルを介する通信を回避する。
【０３１４】
例７５は、例６８〜７４のうちのいずれかの主題を含み、任意的に、第１の局のＴｘセクタは、第２の局のＴｘセクタの方向に向けられている。
【０３１５】
例７６は、例６８〜７５のうちのいずれかの主題を含み、任意的に、ビームフォーミングフレームは、セクタスイープ（ＳＳＷ）フィードバックフィールドを含むＳＳＷフレームを含み、ＳＳＷフィードバックフィールドは、第２の局のＴｘセクタのインジケーションを含む。
【０３１６】
例７７は、例６８〜７６のうちのいずれかの主題を含み、任意的に、第１の局は、ドッキング局を含む。
【０３１７】
例７８は、１以上のアンテナと、第１の局の受信（Ｒｘ）セクタに対応する測定結果のレポートと、指向性ビームフォーミング伝送を第２の局に送信するために第１の局により使用される送信（Ｔｘ）セクタのインジケーションと、を含むビームフォーミングフレームを第２の局に送信する第１の局と、を含む少なくとも１つの無線通信デバイスを有するシステムを含む。
【０３１８】
例７９は、例７８の主題を含み、任意的に、Ｒｘセクタは、Ｔｘセクタのビーム指向性に対応するビーム指向性を有する。
【０３１９】
例８０は、例７９の主題を含み、任意的に、Ｒｘセクタは、Ｔｘセクタと相互的である。
【０３２０】
例８１は、例７８〜８０のうちのいずれかの主題を含み、任意的に、第１の局は、第１の局の複数のＴｘセクタと第１の局の複数のＲｘセクタとを関連付けるＴｘ−Ｒｘ情報を保持し、Ｔｘセクタに関連付けられたＲｘセクタを含むＲｘセクタを選択する。
【０３２１】
例８２は、例７８〜８１のうちのいずれかの主題を含み、任意的に、レポートは、複数のチャネルに対応する複数のチャネル負荷を含む。
【０３２２】
例８３は、例８２の主題を含み、任意的に、第１の局は、第２の局からＴｘセクタのインジケーションを受信し、Ｔｘセクタに基づいてＲｘセクタを判別し、Ｒｘセクタに対応するチャネル負荷を判定する。
【０３２３】
例８４は、例８３の主題を含み、任意的に、第１の局は、第２の局のアドレスと、Ｔｘセクタのインジケーションと、を含むユニキャスト受信アドレス（ＲＡ）を伴うディスカバリビーコンを受信し、第１の局は、ディスカバリビーコンの受信後の時間期間中に負荷を測定する。
【０３２４】
例８５は、例７８〜８４のうちのいずれかの主題を含み、任意的に、ビームフォーミングフレームは、Ｒｘセクタの方向のインジケーションと、Ｔｘセクタ情報要素（ＩＥ）と、を含む指向性測定レポートフレームを含み、ＴｘセクタＩＥは、Ｔｘセクタのインジケーションを含む。
【０３２５】
例８６は、例７８〜８５のうちのいずれかの主題を含み、任意的に、第１の局は、ビームフォーミングレスポンダの機能を実行するものである。
【０３２６】
例８７は、ビームフォーミングイニシエータ局とビームフォーミングレスポンダ局との間で通信されるビームフォーミングフレームを、ビームフォーミングイニシエータ局による送信（Ｔｘ）セクタスイープの後に処理するステップであって、ビームフォーミングフレームは、ビームフォーミングイニシエータ局又はビームフォーミングレスポンダ局の第１の局から、ビームフォーミングイニシエータ局又はビームフォーミングレスポンダ局の第２の局に送信され、ビームフォーミングフレームは、指向性ビームフォーミング伝送を第２の局に送信するために第１の局により使用される、Ｔｘセクタスイープに基づく選択されたＴｘセクタのインジケーションを含む、ステップ、を含む方法を含む。
【０３２７】
例８８は、例８８の主題を含み、任意的に、ビームフォーミングフレームは、第１の局の受信（Ｒｘ）セクタに対応する測定結果のレポートを含む。
【０３２８】
例８９は、例８８の主題を含み、任意的に、Ｒｘセクタは、Ｔｘセクタのビーム指向性に対応するビーム指向性を有する。
【０３２９】
例９０は、例８９の主題を含み、任意的に、Ｒｘセクタは、Ｔｘセクタと相互的である。
【０３３０】
例９１は、例８８〜９０のうちのいずれかの主題を含み、任意的に、複数のＴｘセクタと複数のＲｘセクタとを関連付けるＴｘ−Ｒｘ情報を保持するステップと、選択されたＴｘセクタに関連付けられたＲｘセクタを含むＲｘセクタを選択するステップと、を含む。
【０３３１】
例９２は、例９１の主題を含み、任意的に、レポートは、複数のチャネルに対応する複数のチャネル負荷を含む。
【０３３２】
例９３は、例９２の主題を含み、任意的に、ビームフォーミングレスポンダ局の機能を実行するステップと、ビームフォーミングイニシエータ局から選択されたＴｘセクタを受信するステップと、選択されたＴｘセクタに基づいてＲｘセクタを判別するステップと、Ｒｘセクタに対応するチャネル負荷を判定するステップと、レポートを含むビームフォーミングフレームをビームフォーミングイニシエータ局に送信するステップと、を含む。
【０３３３】
例９４は、例９３の主題を含み、任意的に、ビームフォーミングレスポンダ局のアドレスと、選択されたＴｘセクタのインジケーションと、を含むユニキャスト受信アドレス（ＲＡ）を伴うディスカバリビーコンを受信するステップと、ディスカバリビーコンの受信後の時間期間中に負荷を測定するステップと、を含む。
【０３３４】
例９５は、例９２の主題を含み、任意的に、ビームフォーミングイニシエータ局の機能を実行するステップと、ビームフォーミングレスポンダ局からビームフォーミングフレームを受信するステップと、複数のチャネル負荷に基づいて、指向性ビームフォーミング伝送のために使用されるチャネルを選択するステップと、を含む。
【０３３５】
例９６は、例８８〜９５のうちのいずれかの主題を含み、任意的に、ビームフォーミングフレームは、Ｒｘセクタの方向のインジケーションと、Ｔｘセクタ情報要素（ＩＥ）と、を含む指向性測定レポートフレームを含み、ＴｘセクタＩＥは、Ｔｘセクタのインジケーションを含む。
【０３３６】
例９７は、例８７の主題を含み、任意的に、ビームフォーミングフレームは、セクタスイープ（ＳＳＷ）フィードバックフィールドを含むＳＳＷフレームを含み、ＳＳＷフィードバックフィールドは、Ｔｘセクタのインジケーションを含む。
【０３３７】
例９８は、例９７の主題を含み、任意的に、ビームフォーミングフレームを受信する第３の局の機能を実行するステップと、ビームフォーミングフレームに基づいて、第３の局により使用される指向性ビームフォーミングスキームを決定するステップと、を含む。
【０３３８】
例９９は、例９８の主題を含み、任意的に、第１の局のＴｘセクタを用いる通信チャネルを介する通信のために第１の局及び第２の局が接続されていることを検出ステップと、第１の局のＴｘセクタに向けられた、第３の局のＴｘセクタを用いるチャネルを介する通信を回避するステップと、を含む。
【０３３９】
例１００は、例９９の主題を含み、任意的に、第３の局のＴｘセクタと第１の複数の局のＴｘセクタとを関連付ける第１のＢＦ情報を定めるステップと、第２の複数の局と第３の複数の局との間で通信されたＳＳＷフィードバックフレームのＳＳＷフィードバックフィールドに基づいて、第２の複数の局のＴｘセクタと第３の複数の局のＴｘセクタとを関連付ける第２のＢＦ情報を定めるステップと、を含む。
【０３４０】
例１０１は、例１００の主題を含み、任意的に、第２の複数の局のうち第１の接続されている局と第３の複数の局のうち第２の接続されている局との間の接続を検出するステップと、第２のＢＦ情報に基づいて、第１の接続されている局の接続されているＴｘセクタを判別するステップと、第１のＢＦ情報に基づいて、接続されているＴｘセクタに関連付けられた、第３の局のＴｘセクタを検出するステップと、を含む。
【０３４１】
例１０２は、例８７の主題を含み、任意的に、第１の局の機能を実行するステップと、指向性ビームフォーミング伝送を第２の局に送信するために無線通信ユニットにより使用されるＴｘセクタのインジケーションを含むビームフォーミングフレームを送信するステップと、を含む。
【０３４２】
例１０３は、例８７の主題を含み、任意的に、第１の局からビームフォーミングフレームを受信するステップ、を含む。
【０３４３】
例１０４は、例１０３の主題を含み、任意的に、第２の局の機能を実行するステップ、を含む。
【０３４４】
例１０５は、例８７〜１０４のうちのいずれかの主題を含み、任意的に、ミリメートル波（ｍｍＷａｖｅ）無線通信帯域上でビームフォーミングフレームを通信するステップ、を含む。
【０３４５】
例１０６は、無線通信デバイスの送信（Ｔｘ）セクタを介してセクタスイープ（ＳＳＷ）フレームを送信するステップであって、ＳＳＷフレームは、ＳＳＷフィードバックフィールドを含み、ＳＳＷフィードバックフィールドは、Ｔｘセクタのインジケーションを含む、ステップ、を含む方法を含む。
【０３４６】
例１０７は、例１０６の主題を含み、任意的に、ビームフォーミングレスポンダの機能を実行するステップ、を含む。
【０３４７】
例１０８は、例１０６の主題を含み、任意的に、ＳＳＷフレームは、ＳＳＷアクノレッジメント（ＡＣＫ）フレームを含む。
【０３４８】
例１０９は、例１０６〜１０８のうちのいずれかの主題を含み、任意的に、ビームフォーミングイニシエータによるＴｘセクタスイープの後にＳＳＷフレームを送信するステップ、を含む。
【０３４９】
例１１０は、例１０６〜１０９のうちのいずれかの主題を含み、任意的に、ミリメートル波（ｍｍＷａｖｅ）無線通信帯域上でＳＳＷフレームを送信するステップ、を含む。
【０３５０】
例１１１は、第１の局により、第２の局から第１のチャネルを介して第３の局に送信されたビームフォーミングフレームを受信するステップであって、ビームフォーミングフレームは、フレームを送信するための、第２の局の送信（Ｔｘ）セクタのインジケーションを含む、ステップと、Ｔｘセクタのインジケーションに基づいて、第１の局により、第１の局のＴｘセクタを介して通信するために、第１のチャネルとは異なる第２のチャネルを使用するステップと、を含む方法を含む。
【０３５１】
例１１２は、例１１の主題を含み、任意的に、第１の局の複数のＴｘセクタと第１の複数の局のＴｘセクタとを関連付ける第１のＢＦ情報を定めるステップと、第２の複数の局と第３の複数の局との間で通信されたビームフォーミングフレームに基づいて、第２の複数の局のＴｘセクタと第３の複数の局のＴｘセクタとを関連付ける第２のＢＦ情報を定めるステップと、を含む。
【０３５２】
例１１３は、例１１２の主題を含み、任意的に、第１の局の複数のＴｘセクタのＴｘセクタ識別子のリストの形態で、第１のＢＦ情報を保持するステップであって、Ｔｘ識別子は、第１の複数の局のうちの局のアドレスと、第１の複数の局のうちのこの局のＴｘセクタのＴｘセクタ識別子と、に関連付けられる、ステップ、を含む。
【０３５３】
例１１４は、例１１２又は１１３の主題を含み、任意的に、第３の複数の局の局アドレスのリストの形態で、第２のＢＦ情報を保持するステップであって、第３の複数の局のうちの局のアドレスは、第２の複数の局のうちの局のアドレスと、第２の複数の局のうちのこの局のＴｘセクタのＴｘセクタ識別子と、に関連付けられる、ステップ、を含む。
【０３５４】
例１１５は、例１１２〜１１４のうちのいずれかの主題を含み、任意的に、第１の複数の局は、第２の局を含み、第２の複数の局は、第３の局を含み、第３の複数の局は、第２の局を含む。
【０３５５】
例１１６は、例１１２〜１１５のうちのいずれかの主題を含み、任意的に、第２の局と第３の局との間の接続を検出するステップと、第２のＢＦ情報に基づいて第２の局のＴｘセクタを判別するステップと、第２の局のＴｘセクタ及び第１のＢＦ情報に基づいて第１の局のＴｘセクタを検出するステップと、を含む。
【０３５６】
例１１７は、例１１１〜１１６のうちのいずれかの主題を含み、任意的に、第２の局のＴｘセクタを用いる第１のチャネルを介する通信のために第２の局及び第３の局が接続されていることを検出した場合、第１の局のＴｘセクタを用いる第１のチャネルを介する通信を回避するステップ、を含む。
【０３５７】
例１１８は、例１１１〜１１７のうちのいずれかの主題を含み、任意的に、第１の局のＴｘセクタは、第２の局のＴｘセクタの方向に向けられている。
【０３５８】
例１１９は、例１１１〜１１８のうちのいずれかの主題を含み、任意的に、ビームフォーミングフレームは、セクタスイープ（ＳＳＷ）フィードバックフィールドを含むＳＳＷフレームを含み、ＳＳＷフィードバックフィールドは、第２の局のＴｘセクタのインジケーションを含む。
【０３５９】
例１２０は、例１１１〜１１９のうちのいずれかの主題を含み、任意的に、第１の局は、ドッキング局を含む。
【０３６０】
例１２１は、第１の局から第２の局に、第１の局の受信（Ｒｘ）セクタに対応する測定結果のレポートと、指向性ビームフォーミング伝送を第２の局に送信するために第１の局により使用される送信（Ｔｘ）セクタのインジケーションと、を含むビームフォーミングフレームを送信するステップ、を含む方法を含む。
【０３６１】
例１２２は、例１２１の主題を含み、任意的に、Ｒｘセクタは、Ｔｘセクタのビーム指向性に対応するビーム指向性を有する。
【０３６２】
例１２３は、例１２１の主題を含み、任意的に、Ｒｘセクタは、Ｔｘセクタと相互的である。
【０３６３】
例１２４は、例１２１〜１２３のうちのいずれかの主題を含み、任意的に、第１の局の複数のＴｘセクタと第１の局の複数のＲｘセクタとを関連付けるＴｘ−Ｒｘ情報を保持するステップと、Ｔｘセクタに関連付けられたＲｘセクタを含むＲｘセクタを選択するステップと、を含む。
【０３６４】
例１２５は、例１２１〜１２４のうちのいずれかの主題を含み、任意的に、レポートは、複数のチャネルに対応する複数のチャネル負荷を含む。
【０３６５】
例１２６は、例１２５の主題を含み、任意的に、第２の局からＴｘセクタのインジケーションを受信して、Ｔｘセクタに基づいてＲｘセクタを判別するステップと、Ｒｘセクタに対応するチャネル負荷を判定するステップと、を含む。
【０３６６】
例１２７は、例１２６の主題を含み、任意的に、第２の局のアドレスと、Ｔｘセクタのインジケーションと、を含むユニキャスト受信アドレス（ＲＡ）を伴うディスカバリビーコンを受信するステップと、ディスカバリビーコンの受信後の時間期間中に負荷を測定するステップと、を含む。
【０３６７】
例１２８は、例１２１〜１２７のうちのいずれかの主題を含み、任意的に、ビームフォーミングフレームは、Ｒｘセクタの方向のインジケーションと、Ｔｘセクタ情報要素（ＩＥ）と、を含む指向性測定レポートフレームを含み、ＴｘセクタＩＥは、Ｔｘセクタのインジケーションを含む。
【０３６８】
例１２９は、例１２１〜１２８のうちのいずれかの主題を含み、任意的に、ビームフォーミングレスポンダの機能を実行するステップ、を含む。
【０３６９】
例１３１は、命令を記憶した非一時的な記憶媒体を含む製品であって、命令がマシンにより実行されたときに、命令は、ビームフォーミングイニシエータ局とビームフォーミングレスポンダ局との間で通信されるビームフォーミングフレームを、ビームフォーミングイニシエータ局による送信（Ｔｘ）セクタスイープの後に処理するステップであって、ビームフォーミングフレームは、ビームフォーミングイニシエータ局又はビームフォーミングレスポンダ局の第１の局から、ビームフォーミングイニシエータ局又はビームフォーミングレスポンダ局の第２の局に送信され、ビームフォーミングフレームは、指向性ビームフォーミング伝送を第２の局に送信するために第１の局により使用される、Ｔｘセクタスイープに基づく選択されたＴｘセクタのインジケーションを含む、ステップ、を生じさせる、製品を含む。
【０３７０】
例１３１は、例１３０の主題を含み、任意的に、ビームフォーミングフレームは、第１の局の受信（Ｒｘ）セクタに対応する測定結果のレポートを含む。
【０３７１】
例１３２は、例１３１の主題を含み、任意的に、Ｒｘセクタは、Ｔｘセクタのビーム指向性に対応するビーム指向性を有する。
【０３７２】
例１３３は、例１３２の主題を含み、任意的に、Ｒｘセクタは、Ｔｘセクタと相互的である。
【０３７３】
例１３４は、例１３１〜１３３のうちのいずれかの主題を含み、任意的に、命令は、複数のＴｘセクタと複数のＲｘセクタとを関連付けるＴｘ−Ｒｘ情報を保持するステップと、選択されたＴｘセクタに関連付けられたＲｘセクタを含むＲｘセクタを選択するステップと、を生じさせる。
【０３７４】
例１３５は、例１３４の主題を含み、任意的に、レポートは、複数のチャネルに対応する複数のチャネル負荷を含む。
【０３７５】
例１３６は、例１３５の主題を含み、任意的に、命令は、ビームフォーミングレスポンダ局の機能を実行するステップと、ビームフォーミングイニシエータ局から選択されたＴｘセクタを受信するステップと、選択されたＴｘセクタに基づいてＲｘセクタを判別するステップと、Ｒｘセクタに対応するチャネル負荷を判定するステップと、レポートを含むビームフォーミングフレームをビームフォーミングイニシエータ局に送信するステップと、を生じさせる。
【０３７６】
例１３７は、例１３６の主題を含み、任意的に、命令は、ビームフォーミングレスポンダ局のアドレスと、選択されたＴｘセクタのインジケーションと、を含むユニキャスト受信アドレス（ＲＡ）を伴うディスカバリビーコンを受信するステップと、ディスカバリビーコンの受信後の時間期間中に負荷を測定するステップと、を生じさせる。
【０３７７】
例１３８は、例１３６の主題を含み、任意的に、命令は、ビームフォーミングイニシエータ局の機能を実行するステップと、ビームフォーミングレスポンダ局からビームフォーミングフレームを受信するステップと、複数のチャネル負荷に基づいて、指向性ビームフォーミング伝送のために使用されるチャネルを選択するステップと、を生じさせる。
【０３７８】
例１３９は、例１３１〜１３８のうちのいずれかの主題を含み、任意的に、ビームフォーミングフレームは、Ｒｘセクタの方向のインジケーションと、Ｔｘセクタ情報要素（ＩＥ）と、を含む指向性測定レポートフレームを含み、ＴｘセクタＩＥは、Ｔｘセクタのインジケーションを含む。
【０３７９】
例１４０は、例１３０の主題を含み、任意的に、ビームフォーミングフレームは、セクタスイープ（ＳＳＷ）フィードバックフィールドを含むＳＳＷフレームを含み、ＳＳＷフィードバックフィールドは、Ｔｘセクタのインジケーションを含む。
【０３８０】
例１４１は、例１４０の主題を含み、任意的に、命令は、ビームフォーミングフレームを受信する第３の局の機能を実行するステップと、ビームフォーミングフレームに基づいて、第３の局により使用される指向性ビームフォーミングスキームを決定するステップと、を生じさせる。
【０３８１】
例１４２は、例１４１の主題を含み、任意的に、命令は、第１の局のＴｘセクタを用いる通信チャネルを介する通信のために第１の局及び第２の局が接続されていることを検出ステップと、第１の局のＴｘセクタに向けられた、第３の局のＴｘセクタを用いるチャネルを介する通信を回避するステップと、を生じさせる。
【０３８２】
例１４３は、例１４２の主題を含み、任意的に、命令は、第３の局のＴｘセクタと第１の複数の局のＴｘセクタとを関連付ける第１のＢＦ情報を定めるステップと、第２の複数の局と第３の複数の局との間で通信されたＳＳＷフィードバックフレームのＳＳＷフィードバックフィールドに基づいて、第２の複数の局のＴｘセクタと第３の複数の局のＴｘセクタとを関連付ける第２のＢＦ情報を定めるステップと、を生じさせる。
【０３８３】
例１４４は、例１４３の主題を含み、任意的に、命令は、第２の複数の局のうち第１の接続されている局と第３の複数の局のうち第２の接続されている局との間の接続を検出するステップと、第２のＢＦ情報に基づいて、第１の接続されている局の接続されているＴｘセクタを判別するステップと、第１のＢＦ情報に基づいて、接続されているＴｘセクタに関連付けられた、第３の局のＴｘセクタを検出するステップと、を生じさせる。
【０３８４】
例１４５は、例１３０の主題を含み、任意的に、命令は、第１の局の機能を実行するステップと、指向性ビームフォーミング伝送を第２の局に送信するために無線通信ユニットにより使用されるＴｘセクタのインジケーションを含むビームフォーミングフレームを送信するステップと、を生じさせる。
【０３８５】
例１４６は、例１３０の主題を含み、任意的に、命令は、第１の局からビームフォーミングフレームを受信するステップ、を生じさせる。
【０３８６】
例１４７は、例１４６の主題を含み、任意的に、命令は、第２の局の機能を実行するステップ、を生じさせる。
【０３８７】
例１４８は、例１３０〜１４７のうちのいずれかの主題を含み、任意的に、命令は、ミリメートル波（ｍｍＷａｖｅ）無線通信帯域上でビームフォーミングフレームを通信するステップ、を生じさせる。
【０３８８】
例１４９は、命令を記憶した非一時的な記憶媒体を含む製品であって、命令がマシンにより実行されたときに、命令は、無線通信デバイスの送信（Ｔｘ）セクタを介してセクタスイープ（ＳＳＷ）フレームを送信するステップであって、ＳＳＷフレームは、ＳＳＷフィードバックフィールドを含み、ＳＳＷフィードバックフィールドは、Ｔｘセクタのインジケーションを含む、ステップ、を生じさせる、製品を含む。
【０３８９】
例１５０は、例１４９の主題を含み、任意的に、命令は、ビームフォーミングレスポンダの機能を実行するステップ、を生じさせる。
【０３９０】
例１５１は、例１４９の主題を含み、任意的に、ＳＳＷフレームは、ＳＳＷアクノレッジメント（ＡＣＫ）フレームを含む。
【０３９１】
例１５２は、例１４９〜１５１のうちのいずれかの主題を含み、任意的に、命令は、ビームフォーミングイニシエータによるＴｘセクタスイープの後にＳＳＷフレームを送信するステップ、を生じさせる。
【０３９２】
例１５３は、例１４９〜１５２のうちのいずれかの主題を含み、任意的に、命令は、ミリメートル波（ｍｍＷａｖｅ）無線通信帯域上でＳＳＷフレームを送信するステップ、を生じさせる。
【０３９３】
例１５４は、命令を記憶した非一時的な記憶媒体を含む製品であって、命令がマシンにより実行されたときに、命令は、第１の局により、第２の局から第１のチャネルを介して第３の局に送信されたビームフォーミングフレームを受信するステップであって、ビームフォーミングフレームは、フレームを送信するための、第２の局の送信（Ｔｘ）セクタのインジケーションを含む、ステップと、Ｔｘセクタのインジケーションに基づいて、第１の局により、第１の局のＴｘセクタを介して通信するために、第１のチャネルとは異なる第２のチャネルを使用するステップと、を生じさせる、製品を含む。
【０３９４】
例１５５は、例１５４の主題を含み、任意的に、命令は、第１の局の複数のＴｘセクタと第１の複数の局のＴｘセクタとを関連付ける第１のＢＦ情報を定めるステップと、第２の複数の局と第３の複数の局との間で通信されたビームフォーミングフレームに基づいて、第２の複数の局のＴｘセクタと第３の複数の局のＴｘセクタとを関連付ける第２のＢＦ情報を定めるステップと、を生じさせる。
【０３９５】
例１５６は、例１５５の主題を含み、任意的に、命令は、第１の局の複数のＴｘセクタのＴｘセクタ識別子のリストの形態で、第１のＢＦ情報を保持するステップであって、Ｔｘ識別子は、第１の複数の局のうちの局のアドレスと、第１の複数の局のうちのこの局のＴｘセクタのＴｘセクタ識別子と、に関連付けられる、ステップ、を生じさせる。
【０３９６】
例１５７は、例１５５又は１５６の主題を含み、任意的に、命令は、第３の複数の局の局アドレスのリストの形態で、第２のＢＦ情報を保持するステップであって、第３の複数の局のうちの局のアドレスは、第２の複数の局のうちの局のアドレスと、第２の複数の局のうちのこの局のＴｘセクタのＴｘセクタ識別子と、に関連付けられる、ステップ、を生じさせる。
【０３９７】
例１５８は、例１５５〜１５７のうちのいずれかの主題を含み、任意的に、第１の複数の局は、第２の局を含み、第２の複数の局は、第３の局を含み、第３の複数の局は、第２の局を含む。
【０３９８】
例１５９は、例１５５〜１５８のうちのいずれかの主題を含み、任意的に、命令は、第２の局と第３の局との間の接続を検出するステップと、第２のＢＦ情報に基づいて第２の局のＴｘセクタを判別するステップと、第２の局のＴｘセクタ及び第１のＢＦ情報に基づいて第１の局のＴｘセクタを検出するステップと、を生じさせる。
【０３９９】
例１６０は、例１５４〜１５９のうちのいずれかの主題を含み、任意的に、命令は、第２の局のＴｘセクタを用いる第１のチャネルを介する通信のために第２の局及び第３の局が接続されていることを検出した場合、第１の局のＴｘセクタを用いる第１のチャネルを介する通信を回避するステップ、を生じさせる。
【０４００】
例１６１は、例１５４〜１６０のうちのいずれかの主題を含み、任意的に、第１の局のＴｘセクタは、第２の局のＴｘセクタの方向に向けられている。
【０４０１】
例１６２は、例１５４〜１６１のうちのいずれかの主題を含み、任意的に、ビームフォーミングフレームは、セクタスイープ（ＳＳＷ）フィードバックフィールドを含むＳＳＷフレームを含み、ＳＳＷフィードバックフィールドは、第２の局のＴｘセクタのインジケーションを含む。
【０４０２】
例１６３は、例１５４〜１６２のうちのいずれかの主題を含み、任意的に、第１の局は、ドッキング局を含む。
【０４０３】
例１６４は、命令を記憶した非一時的な記憶媒体を含む製品であって、命令がマシンにより実行されたときに、命令は、第１の局から第２の局に、第１の局の受信（Ｒｘ）セクタに対応する測定結果のレポートと、指向性ビームフォーミング伝送を第２の局に送信するために第１の局により使用される送信（Ｔｘ）セクタのインジケーションと、を含むビームフォーミングフレームを送信するステップ、を生じさせる、製品を含む。
【０４０４】
例１６５は、例１６４の主題を含み、任意的に、Ｒｘセクタは、Ｔｘセクタのビーム指向性に対応するビーム指向性を有する。
【０４０５】
例１６６は、例１６４の主題を含み、任意的に、Ｒｘセクタは、Ｔｘセクタと相互的である。
【０４０６】
例１６７は、例１６４〜１６６のうちのいずれかの主題を含み、任意的に、命令は、第１の局の複数のＴｘセクタと第１の局の複数のＲｘセクタとを関連付けるＴｘ−Ｒｘ情報を保持するステップと、Ｔｘセクタに関連付けられたＲｘセクタを含むＲｘセクタを選択するステップと、を生じさせる。
【０４０７】
例１６８は、例１６４〜１６７のうちのいずれかの主題を含み、任意的に、レポートは、複数のチャネルに対応する複数のチャネル負荷を含む。
【０４０８】
例１６９は、例１６８の主題を含み、任意的に、命令は、第２の局からＴｘセクタのインジケーションを受信して、Ｔｘセクタに基づいてＲｘセクタを判別するステップと、Ｒｘセクタに対応するチャネル負荷を判定するステップと、を生じさせる。
【０４０９】
例１７０は、例１６９の主題を含み、任意的に、命令は、第２の局のアドレスと、Ｔｘセクタのインジケーションと、を含むユニキャスト受信アドレス（ＲＡ）を伴うディスカバリビーコンを受信するステップと、ディスカバリビーコンの受信後の時間期間中に負荷を測定するステップと、を生じさせる。
【０４１０】
例１７１は、例１６４〜１７０のうちのいずれかの主題を含み、任意的に、ビームフォーミングフレームは、Ｒｘセクタの方向のインジケーションと、Ｔｘセクタ情報要素（ＩＥ）と、を含む指向性測定レポートフレームを含み、ＴｘセクタＩＥは、Ｔｘセクタのインジケーションを含む。
【０４１１】
例１７２は、例１６４〜１７１のうちのいずれかの主題を含み、任意的に、命令は、ビームフォーミングレスポンダの機能を実行するステップ、を生じさせる。
【０４１２】
例１７３は、ビームフォーミングイニシエータ局とビームフォーミングレスポンダ局との間で通信されるビームフォーミングフレームを、ビームフォーミングイニシエータ局による送信（Ｔｘ）セクタスイープの後に処理する手段であって、ビームフォーミングフレームは、ビームフォーミングイニシエータ局又はビームフォーミングレスポンダ局の第１の局から、ビームフォーミングイニシエータ局又はビームフォーミングレスポンダ局の第２の局に送信され、ビームフォーミングフレームは、指向性ビームフォーミング伝送を第２の局に送信するために第１の局により使用される、Ｔｘセクタスイープに基づく選択されたＴｘセクタのインジケーションを含む、手段、を備える装置を含む。
【０４１３】
例１７４は、例１７３の主題を含み、任意的に、ビームフォーミングフレームは、第１の局の受信（Ｒｘ）セクタに対応する測定結果のレポートを含む。
【０４１４】
例１７５は、例１７４の主題を含み、任意的に、Ｒｘセクタは、Ｔｘセクタのビーム指向性に対応するビーム指向性を有する。
【０４１５】
例１７６は、例１７５の主題を含み、任意的に、Ｒｘセクタは、Ｔｘセクタと相互的である。
【０４１６】
例１７７は、例１７４〜１７６のうちのいずれかの主題を含み、任意的に、複数のＴｘセクタと複数のＲｘセクタとを関連付けるＴｘ−Ｒｘ情報を保持し、選択されたＴｘセクタに関連付けられたＲｘセクタを含むＲｘセクタを選択する手段、を備える。
【０４１７】
例１７８は、例１７７の主題を含み、任意的に、レポートは、複数のチャネルに対応する複数のチャネル負荷を含む。
【０４１８】
例１７９は、例１７８の主題を含み、任意的に、ビームフォーミングレスポンダ局の機能を実行し、ビームフォーミングイニシエータ局から選択されたＴｘセクタを受信し、選択されたＴｘセクタに基づいてＲｘセクタを判別し、Ｒｘセクタに対応するチャネル負荷を判定し、レポートを含むビームフォーミングフレームをビームフォーミングイニシエータ局に送信する手段、を備える。
【０４１９】
例１８０は、例１７９の主題を含み、任意的に、ビームフォーミングレスポンダ局のアドレスと、選択されたＴｘセクタのインジケーションと、を含むユニキャスト受信アドレス（ＲＡ）を伴うディスカバリビーコンを受信し、ディスカバリビーコンの受信後の時間期間中に負荷を測定する手段、を備える。
【０４２０】
例１８１は、例１７８の主題を含み、任意的に、ビームフォーミングイニシエータ局の機能を実行し、ビームフォーミングレスポンダ局からビームフォーミングフレームを受信し、複数のチャネル負荷に基づいて、指向性ビームフォーミング伝送のために使用されるチャネルを選択する手段、を備える。
【０４２１】
例１８２は、例１７４〜１８１のうちのいずれかの主題を含み、任意的に、ビームフォーミングフレームは、Ｒｘセクタの方向のインジケーションと、Ｔｘセクタ情報要素（ＩＥ）と、を含む指向性測定レポートフレームを含み、ＴｘセクタＩＥは、Ｔｘセクタのインジケーションを含む。
【０４２２】
例１８３は、例１７３の主題を含み、任意的に、ビームフォーミングフレームは、セクタスイープ（ＳＳＷ）フィードバックフィールドを含むＳＳＷフレームを含み、ＳＳＷフィードバックフィールドは、Ｔｘセクタのインジケーションを含む。
【０４２３】
例１８４は、例１８３の主題を含み、任意的に、ビームフォーミングフレームを受信する第３の局の機能を実行し、ビームフォーミングフレームに基づいて、第３の局により使用される指向性ビームフォーミングスキームを決定する手段、を備える。
【０４２４】
例１８５は、例１８４の主題を含み、任意的に、第１の局のＴｘセクタを用いる通信チャネルを介する通信のために第１の局及び第２の局が接続されていることを検出し、第１の局のＴｘセクタに向けられた、第３の局のＴｘセクタを用いるチャネルを介する通信を回避する手段、を備える。
【０４２５】
例１８６は、例１８５の主題を含み、任意的に、第３の局のＴｘセクタと第１の複数の局のＴｘセクタとを関連付ける第１のＢＦ情報を定め、第２の複数の局と第３の複数の局との間で通信されたＳＳＷフィードバックフレームのＳＳＷフィードバックフィールドに基づいて、第２の複数の局のＴｘセクタと第３の複数の局のＴｘセクタとを関連付ける第２のＢＦ情報を定める手段、を備える。
【０４２６】
例１８７は、例１８６の主題を含み、任意的に、第２の複数の局のうち第１の接続されている局と第３の複数の局のうち第２の接続されている局との間の接続を検出し、第２のＢＦ情報に基づいて、第１の接続されている局の接続されているＴｘセクタを判別し、第１のＢＦ情報に基づいて、接続されているＴｘセクタに関連付けられた、第３の局のＴｘセクタを検出する手段、を備える。
【０４２７】
例１８８は、例１７６の主題を含み、任意的に、第１の局の機能を実行し、指向性ビームフォーミング伝送を第２の局に送信するために無線通信ユニットにより使用されるＴｘセクタのインジケーションを含むビームフォーミングフレームを送信する手段、を備える。
【０４２８】
例１８９は、例１７３の主題を含み、任意的に、第１の局からビームフォーミングフレームを受信する手段、を備える。
【０４２９】
例１９０は、例１８９の主題を含み、任意的に、第２の局の機能を実行する手段、を備える。
【０４３０】
例１９１は、例１７３〜１９０のうちのいずれかの主題を含み、任意的に、ミリメートル波（ｍｍＷａｖｅ）無線通信帯域上でビームフォーミングフレームを通信する手段、を備える。
【０４３１】
例１９２は、無線通信デバイスの送信（Ｔｘ）セクタを介してセクタスイープ（ＳＳＷ）フレームを送信する手段であって、ＳＳＷフレームは、ＳＳＷフィードバックフィールドを含み、ＳＳＷフィードバックフィールドは、Ｔｘセクタのインジケーションを含む、手段、を備える装置を含む。
【０４３２】
例１９３は、例１９２の主題を含み、任意的に、ビームフォーミングレスポンダの機能を実行する手段、を備える。
【０４３３】
例１９４は、例１９２の主題を含み、任意的に、ＳＳＷフレームは、ＳＳＷアクノレッジメント（ＡＣＫ）フレームを含む。
【０４３４】
例１９５は、例１９２〜１９４のうちのいずれかの主題を含み、任意的に、ビームフォーミングイニシエータによるＴｘセクタスイープの後にＳＳＷフレームを送信する手段、を備える。
【０４３５】
例１９６は、例１９２〜１９５のうちのいずれかの主題を含み、任意的に、ミリメートル波（ｍｍＷａｖｅ）無線通信帯域上でＳＳＷフレームを送信する手段、を備える。
【０４３６】
例１９７は、第１の局により、第２の局から第１のチャネルを介して第３の局に送信されたビームフォーミングフレームを受信する手段であって、ビームフォーミングフレームは、フレームを送信するための、第２の局の送信（Ｔｘ）セクタのインジケーションを含む、手段と、Ｔｘセクタのインジケーションに基づいて、第１の局により、第１の局のＴｘセクタを介して通信するために、第１のチャネルとは異なる第２のチャネルを使用する手段と、を備える装置を含む。
【０４３７】
例１９８は、例１９７の主題を含み、任意的に、第１の局の複数のＴｘセクタと第１の複数の局のＴｘセクタとを関連付ける第１のＢＦ情報を定め、第２の複数の局と第３の複数の局との間で通信されたビームフォーミングフレームに基づいて、第２の複数の局のＴｘセクタと第３の複数の局のＴｘセクタとを関連付ける第２のＢＦ情報を定める手段、を備える。
【０４３８】
例１９９は、例１９８の主題を含み、任意的に、第１の局の複数のＴｘセクタのＴｘセクタ識別子のリストの形態で、第１のＢＦ情報を保持する手段であって、Ｔｘ識別子は、第１の複数の局のうちの局のアドレスと、第１の複数の局のうちのこの局のＴｘセクタのＴｘセクタ識別子と、に関連付けられる、手段、を備える。
【０４３９】
例２００は、例１９８又は１９９の主題を含み、任意的に、第３の複数の局の局アドレスのリストの形態で、第２のＢＦ情報を保持する手段であって、第３の複数の局のうちの局のアドレスは、第２の複数の局のうちの局のアドレスと、第２の複数の局のうちのこの局のＴｘセクタのＴｘセクタ識別子と、に関連付けられる、手段、を備える。
【０４４０】
例２０１は、例１９８〜２００のうちのいずれかの主題を含み、任意的に、第１の複数の局は、第２の局を含み、第２の複数の局は、第３の局を含み、第３の複数の局は、第２の局を含む。
【０４４１】
例２０２は、例１９８〜２０１のうちのいずれかの主題を含み、任意的に、第２の局と第３の局との間の接続を検出し、第２のＢＦ情報に基づいて第２の局のＴｘセクタを判別し、第２の局のＴｘセクタ及び第１のＢＦ情報に基づいて第１の局のＴｘセクタを検出する手段、を備える。
【０４４２】
例２０３は、例１９７〜２０２のうちのいずれかの主題を含み、任意的に、第２の局のＴｘセクタを用いる第１のチャネルを介する通信のために第２の局及び第３の局が接続されていることを検出した場合、第１の局のＴｘセクタを用いる第１のチャネルを介する通信を回避する手段、を備える。
【０４４３】
例２０４は、例１９７〜２０３のうちのいずれかの主題を含み、任意的に、第１の局のＴｘセクタは、第２の局のＴｘセクタの方向に向けられている。
【０４４４】
例２０５は、例１９７〜２０４のうちのいずれかの主題を含み、任意的に、ビームフォーミングフレームは、セクタスイープ（ＳＳＷ）フィードバックフィールドを含むＳＳＷフレームを含み、ＳＳＷフィードバックフィールドは、第２の局のＴｘセクタのインジケーションを含む。
【０４４５】
例２０６は、例１９７〜２０５のうちのいずれかの主題を含み、任意的に、第１の局は、ドッキング局を含む。
【０４４６】
例２０７は、第１の局から第２の局に、第１の局の受信（Ｒｘ）セクタに対応する測定結果のレポートと、指向性ビームフォーミング伝送を第２の局に送信するために第１の局により使用される送信（Ｔｘ）セクタのインジケーションと、を含むビームフォーミングフレームを送信する手段、を備える装置を含む。
【０４４７】
例２０８は、例２０７の主題を含み、任意的に、Ｒｘセクタは、Ｔｘセクタのビーム指向性に対応するビーム指向性を有する。
【０４４８】
例２０９は、例２０７の主題を含み、任意的に、Ｒｘセクタは、Ｔｘセクタと相互的である。
【０４４９】
例２１０は、例２０７〜２０９のうちのいずれかの主題を含み、任意的に、第１の局の複数のＴｘセクタと第１の局の複数のＲｘセクタとを関連付けるＴｘ−Ｒｘ情報を保持し、Ｔｘセクタに関連付けられたＲｘセクタを含むＲｘセクタを選択する手段、を備える。
【０４５０】
例２１１は、例２０７〜２１０のうちのいずれかの主題を含み、任意的に、レポートは、複数のチャネルに対応する複数のチャネル負荷を含む。
【０４５１】
例２１２は、例２１１の主題を含み、任意的に、第２の局からＴｘセクタのインジケーションを受信し、Ｔｘセクタに基づいてＲｘセクタを判別し、Ｒｘセクタに対応するチャネル負荷を判定する手段、を備える。
【０４５２】
例２１３は、例２１２の主題を含み、任意的に、第２の局のアドレスと、Ｔｘセクタのインジケーションと、を含むユニキャスト受信アドレス（ＲＡ）を伴うディスカバリビーコンを受信し、ディスカバリビーコンの受信後の時間期間中に負荷を測定する手段、を備える。
【０４５３】
例２１４は、例２０７〜２１３のうちのいずれかの主題を含み、任意的に、ビームフォーミングフレームは、Ｒｘセクタの方向のインジケーションと、Ｔｘセクタ情報要素（ＩＥ）と、を含む指向性測定レポートフレームを含み、ＴｘセクタＩＥは、Ｔｘセクタのインジケーションを含む。
【０４５４】
例２１５は、例２０７〜２１４のうちのいずれかの主題を含み、任意的に、ビームフォーミングレスポンダの機能を実行する手段、を備える。
【０４５５】
１以上の実施形態を参照して本明細書で説明した機能、動作、コンポーネント、及び／又は特徴は、１以上の他の実施形態を参照して本明細書で説明した１以上の他の機能、動作、コンポーネント、及び／又は特徴と組み合されてもよいし、１以上の他の実施形態を参照して本明細書で説明した１以上の他の機能、動作、コンポーネント、及び／又は特徴とともに使用されてもよいし、あるいは、その逆であってもよい。
【０４５６】
本発明の所定の特徴が、図示され本明細書で説明されたが、多くの変形形態、代替形態、変更形態、及び均等形態が当業者には思い浮かぶであろう。したがって、添付の特許請求の範囲は、本発明の真の主旨内に属する全てのそのような変形形態及び変更形態を網羅することが意図されていることを理解すべきである。
【図１】
0006273361.tif 000007
【図２】
0006273361.tif 000008
【図３】
0006273361.tif 000009
【図４】
0006273361.tif 000010
【図５】
0006273361.tif 000011
【図６】
0006273361.tif 000012
【図７】
0006273361.tif 000013
【図８】
0006273361.tif 000014
【図９】
0006273361.tif 000015
【図１０】
0006273361.tif 000016